(57)【要約】【課題】効率的に通信を行うことができる端末装置、基地局装置、通信方法および集積回路に関する技術を提供すること。【解決手段】基地局装置と通信する端末装置が基地局装置からＲＲＣ再設定メッセージを受信する受信部と、基地局装置へ前記ＲＲＣ再設定メッセージに対するＲＲＣ再設定完了メッセージを送信する送信部と、前記ＲＲＣ再設定完了メッセージを生成する制御部と、を備え、サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する。【選択図】図１０
2019092059.tif 000002
【特許請求の範囲】
【請求項１】
基地局装置と通信する端末装置であって、
基地局装置からＲＲＣ再設定メッセージを受信する受信部と、
基地局装置へ前記ＲＲＣ再設定メッセージに対するＲＲＣ再設定完了メッセージを送信する送信部と、
前記ＲＲＣ再設定完了メッセージを生成する制御部と、を備え、
サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する端末装置。
【請求項２】
前記ギャップが必要か否かを識別可能な情報は、サービングセル毎の情報である請求項１記載の端末装置。
【請求項３】
前記ギャップが必要か否かを識別可能な情報は、第１の下りリンクＢＷＰにおいて、サービングセル品質を測定するためにギャップが必要か否かを識別可能な情報を含む請求項１記載の端末装置。
【請求項４】
前記ギャップが必要か否かを識別可能な情報は、それぞれの下りリンクＢＷＰにおいて、サービングセル品質を測定するためにギャップが必要か否かを識別可能な情報を含む請求項１記載の端末装置。
【請求項５】
基地局装置と通信する端末装置であって、
基地局装置へ前記端末装置の能力（Ｃａｐａｂｉｌｉｔｙ）を通知するメッセージを送信する送信部と、
前記メッセージを生成する制御部と、を備え、
前記メッセージには、サポートする周波数バンドの組み合わせのそれぞれに対して周波数バンド毎に第１のバンド幅の情報が含まれ、
前記第１のバンド幅の情報は、下りリンク帯域幅部分（ＢＷＰ）が通信に用いられる場合に、少なくとも活性化される下りＢＷＰを包含する前記第１のバンド幅に含まれる測定対象の測定に、ギャップが不要であることを示す端末装置。
【請求項６】
前記第１のバンド幅の情報は、下りリンク帯域幅部分（ＢＷＰ）が通信に用いられる場合に、活性化される下りＢＷＰを包含する前記第１のバンド幅に含まれない測定対象の測定に、ギャップが必要であることを示す
請求項５記載の端末装置。
【請求項７】
端末装置と通信する基地局装置であって、
端末装置にＲＲＣ再設定メッセージを送信する送信部と、
端末装置から前記ＲＲＣ再設定メッセージに対するＲＲＣ再設定完了メッセージを受信する受信部と、
前記ＲＲＣ再設定メッセージを生成する制御部と、を備え、
サービングセルの第１の下りリンク帯域幅部分（ＢＷＰ）情報および０個以上の第２の下りリンクＢＷＰ情報に基づく、前記サービングセルのサービングセル品質を測定するために測定ギャップが必要か否かを識別可能な情報を前記ＲＲＣ再設定完了メッセージに含めることを要求する情報を含む前記ＲＲＣ再設定メッセージを生成する基地局装置。
【請求項８】
基地局装置と通信する端末装置に適用される通信方法であって、
基地局装置からＲＲＣ再設定メッセージを受信するステップと、
基地局装置へ前記ＲＲＣ再設定メッセージに対するＲＲＣ再設定完了メッセージを送信するステップと、
前記ＲＲＣ再設定完了メッセージを生成するステップと、を含み、
サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する通信方法。
【請求項９】
基地局装置と通信する端末装置に実装される集積回路であって、
基地局装置からＲＲＣ再設定メッセージを受信する機能と、
基地局装置へ前記ＲＲＣ再設定メッセージに対するＲＲＣ再設定完了メッセージを送信する機能と、
前記ＲＲＣ再設定完了メッセージを生成する機能と、を前記端末装置に対して発揮させ、
サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する集積回路。
【発明の詳細な説明】
【技術分野】
【０００１】
本発明は、端末装置、基地局装置、通信方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（３ｒｄ  Ｇｅｎｅｒａｔｉｏｎ
Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。
【先行技術文献】
【非特許文献】
【０００４】
【非特許文献１】ＲＰ−１６１２１４，ＮＴＴ  ＤＯＣＯＭＯ，”Ｒｅｖｉｓｉｏｎ  ｏｆ  ＳＩ：  Ｓｔｕｄｙ  ｏｎ  Ｎｅｗ  Ｒａｄｉｏ  Ａｃｃｅｓｓ  Ｔｅｃｈｎｏｌｏｇｙ”，２０１６年６月
【非特許文献２】３ＧＰＰ  Ｒ１−１７１６１０９  ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿ＡＨ／ＮＲ＿ＡＨ＿１７０９／Ｄｏｃｓ／Ｒ１−１７１６１０９.ｚｉｐ
【非特許文献３】３ＧＰＰ  Ｒ２−１７１０９３７  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿９９ｂｉｓ／Ｄｏｃｓ／Ｒ２−１７１０９３７.ｚｉｐ
【発明の概要】
【発明が解決しようとする課題】
【０００５】
ＮＲではサービングセルの広い帯域の一部をＢＷＰ（Ｂａｎｄ  Ｗｉｄｔｈ  Ｐａｒｔ）として端末装置に１つまたは複数設定して、複数設定された場合、それらのＢＷＰを切り替えて通信することが検討されている（非特許文献２）。
【０００６】
従来のＬＴＥでは、ＢＷＰを考慮していないため、ＮＲにおいて、端末装置による活性化されたＢＷＰ以外の周波数の測定を行う際に、測定のためのギャップが必要であるか否かの情報が、基地局装置にない場合、すべての測定にギャップを設定する必要があり、基地局装置と端末装置との通信を効率的に行うことができないという問題がある。
【０００７】
非特許文献３では、端末装置が、サポートする周波数ごとに、活性化されたＢＷＰ外のセル内周波数の測定を行う際にギャップが必要か否かを端末装置の能力（Ｃａｐａｂｉｌｉｔｙ）として基地局装置に通知する仕組みが提案されている。
【０００８】
しかしながら、端末装置の受信可能な周波数帯域幅などが異なる場合、ＢＷＰの設定に応じて正確にギャップの要否を通知することができず、基地局装置と端末装置との通信を効率的に行うことができないという課題があった。
【０００９】
本発明の一態様は、上記した事情に鑑みてなされたもので、基地局装置との通信を効率
的に行うことができる端末装置、該端末装置と通信する基地局装置、該端末装置に用いられる通信方法、該基地局装置に用いられる通信方法、該端末装置に実装される集積回路、該基地局装置に実装される集積回路を提供することを目的の一つとする。
【課題を解決するための手段】
【００１０】
（１）上記の目的を達成するために、本発明の一態様は、以下のような手段を講じた。すなわち、本発明の第１の態様は、基地局装置と通信する端末装置であって、基地局装置からＲＲＣ再設定メッセージを受信する受信部と、基地局装置へ前記ＲＲＣ再設定メッセージに対するＲＲＣ再設定完了メッセージを送信する送信部と、前記ＲＲＣ再設定完了メッセージを生成する制御部と、を備え、サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する。
【００１１】
（２）本発明の第２の態様は、基地局装置と通信する端末装置であって、基地局装置へ前記端末装置の能力（Ｃａｐａｂｉｌｉｔｙ）を通知するメッセージを送信する送信部と、前記メッセージを生成する制御部と、を備え、前記メッセージには、サポートする周波数バンドの組み合わせのそれぞれに対して周波数バンド毎に第１のバンド幅の情報が含まれ、前記第１のバンド幅の情報は、下りリンク帯域幅部分（ＢＷＰ）が通信に用いられる場合に、少なくとも活性化される下りＢＷＰを包含する前記第１のバンド幅に含まれる測定対象の測定に、ギャップが不要であることを示す。
【００１２】
（３）本発明の第３の態様は、端末装置と通信する基地局装置であって、端末装置にＲＲＣ再設定メッセージを送信する送信部と、端末装置から前記ＲＲＣ再設定メッセージに対するＲＲＣ再設定完了メッセージを受信する受信部と、前記ＲＲＣ再設定メッセージを生成する制御部と、を備え、サービングセルの第１の下りリンク帯域幅部分（ＢＷＰ）情報および０個以上の第２の下りリンクＢＷＰ情報に基づく、前記サービングセルのサービングセル品質を測定するために測定ギャップが必要か否かを識別可能な情報を前記ＲＲＣ再設定完了メッセージに含めることを要求する情報を含む前記ＲＲＣ再設定メッセージを生成する。
【００１３】
（４）本発明の第４の態様は、基地局装置と通信する端末装置に適用される通信方法であって、基地局装置からＲＲＣ再設定メッセージを受信するステップと、基地局装置へ前記ＲＲＣ再設定メッセージに対するＲＲＣ再設定完了メッセージを送信するステップと、前記ＲＲＣ再設定完了メッセージを生成するステップと、を含み、サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する。
【００１４】
（５）本発明の第５の態様は、基地局装置と通信する端末装置に実装される集積回路であって、基地局装置からＲＲＣ再設定メッセージを受信する機能と、基地局装置へ前記ＲＲＣ再設定メッセージに対するＲＲＣ再設定完了メッセージを送信する機能と、前記ＲＲＣ再設定完了メッセージを生成する機能と、を前記端末装置に対して発揮させ、サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する。
【発明の効果】
【００１５】
本発明の一態様によれば、端末装置および基地局装置は、効率的に通信を行うことがで
きる。
【図面の簡単な説明】
【００１６】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係る下りリンクスロットの概略構成の一例を示す図である。
【図５】本発明の実施形態に係るサブフレ−ム、スロット、ミニスロットの時間領域における関係を示した図である。
【図６】本発明の実施形態に係るスロットまたはサブフレ−ムの一例を示す図である。
【図７】本発明の実施形態に係るビームフォーミングの一例を示す図である。
【図８】本発明の実施形態に係るＲＲＣ再設定メッセージの一例を示す図である。
【図９】本発明の実施形態に係るギャップ指示通知手順の一例を示す図である。
【図１０】本発明の実施形態に係るＲＲＣ再設定完了メッセージに含まれる要素の一例を示す図である。
【発明を実施するための形態】
【００１７】
以下、本発明の実施形態について説明する。
【００１８】
本実施形態の無線通信システム、および無線ネットワークについて説明する。
【００１９】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＤｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。
【００２０】
図１は、本実施形態の無線通信システムの概念図である。図１において、無線通信システムは、端末装置２および基地局装置３を具備する。また、基地局装置３は、１または複数の送受信点４（ｔｒａｎｓｍｉｓｓｉｏｎ  ｒｅｃｅｐｔｉｏｎ  ｐｏｉｎｔ：ＴＲＰ）を具備してもよい。基地局装置３は、基地局装置３によって制御される通信可能範囲（通信エリア）を１つまたは複数のセルとして端末装置２をサーブしてもよい。基地局装置３は、コアネットワーク装置を含んでもよい。また、基地局装置３は、１または複数の送受信点４によって制御される通信可能範囲（通信エリア）を１つまたは複数のセルとして端末装置２をサーブしてもよい。また、１つのセルを複数の部分領域（Ｂｅａｍｅｄ  ａｒｅａ、またはＢｅａｍｅｄ  ｃｅｌｌとも称する）にわけ、それぞれの部分領域において端末装置２をサーブしてもよい。ここで、部分領域は、ビ−ムフォーミングで使用されるビ−ムのインデックス、クワジコロケ−ションのインデックスあるいはプリコ−ディングのインデックスに基づいて識別されてもよい。
【００２１】
基地局装置３がカバ−する通信エリアは周波数毎にそれぞれ異なる広さ、異なる形状であっても良い。また、カバ−するエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２２】
基地局装置３から端末装置２への無線通信リンクを下りリンクと称する。端末装置２から基地局装置３への無線通信リンクを上りリンクと称する。端末装置２から他の端末装置２への直接無線通信リンクをサイドリンクと称する。
【００２３】
図１において、端末装置２と基地局装置３の間の無線通信および／または端末装置２と他の端末装置２の間の無線通信では、サイクリックプレフィックス（ＣＰ：Ｃｙｃｌｉｃ
Ｐｒｅｆｉｘ）を含む直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、シングルキャリア周波数多重（ＳＣ−ＦＤＭ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅｘｉｎｇ）、離散フ−リエ変換拡散ＯＦＤＭ（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  ＯＦＤＭ）、マルチキャリア符号分割多重（ＭＣ−ＣＤＭ：Ｍｕｌｔｉ−Ｃａｒｒｉｅｒ  Ｃｏｄｅ  Ｄｉｖｉｓｉｏｎ  Ｍｕｌｔｉｐｌｅｘｉｎｇ）が用いられてもよい。
【００２４】
また、図１において、端末装置２と基地局装置３の間の無線通信および／または端末装置２と他の端末装置２の間の無線通信では、ユニバ−サルフィルタマルチキャリア（ＵＦＭＣ：Ｕｎｉｖｅｒｓａｌ−Ｆｉｌｔｅｒｅｄ  Ｍｕｌｔｉ−Ｃａｒｒｉｅｒ）、フィルタＯＦＤＭ（Ｆ−ＯＦＤＭ：Ｆｉｌｔｅｒｅｄ  ＯＦＤＭ）、窓関数が乗算されたＯＦＤＭ（Ｗｉｎｄｏｗｅｄ  ＯＦＤＭ）、フィルタバンクマルチキャリア（ＦＢＭＣ：Ｆｉｌｔｅｒ−Ｂａｎｋ  Ｍｕｌｔｉ−Ｃａｒｒｉｅｒ）が用いられてもよい。
【００２５】
なお、本実施形態ではＯＦＤＭを伝送方式としてＯＦＤＭシンボルで説明するが、上述の他の伝送方式の場合を用いた場合も本発明の一態様に含まれる。例えば、本実施形態におけるＯＦＤＭシンボルはＳＣ−ＦＤＭシンボル（ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルと称される場合もある）であってもよい。
【００２６】
また、図１において、端末装置２と基地局装置３の間の無線通信および／または端末装置２と他の端末装置２の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２７】
端末装置２は、セルの中を通信エリアとみなして動作する。端末装置２は、非無線接続時（アイドル状態、ＲＲＣ＿ＩＤＬＥ状態とも称する）において、セル再選択手順によって別の適切なセルへ移動してもよい。端末装置２は、無線接続時（コネクティッド状態、ＲＲＣ＿ＣＯＮＮＥＣＴＥＤ状態とも称する）において、ハンドオ−バ手順によって別のセルへ移動してもよい。適切なセルとは、一般的に、基地局装置３から示される情報に基づいて端末装置２のアクセスが禁止されていないと判断されるセルであって、かつ、下りリンクの受信品質が所定の条件を満たすセルのことを示す。また、端末装置２は、不活動状態（インアクティブ状態とも称する）において、セル再選択手順によって別の適切なセルへ移動してもよい。端末装置２は、不活動状態において、ハンドオ−バ手順によって別のセルへ移動してもよい。
【００２８】
端末装置２がある基地局装置３と通信可能であるとき、その基地局装置３のセルのうち、端末装置２との通信に使用されるように設定されているセルを在圏セル（Ｓｅｒｖｉｎｇ  ｃｅｌｌ、サービングセル）と称して、その他の通信に使用されないセルは周辺セル（Ｎｅｉｇｈｂｏｒｉｎｇ  ｃｅｌｌ）と称してよい。また、サービングセルにおいて必要となるシステム情報の一部あるいは全部は、端末装置２に対して、別のセルで報知または通知される場合もある。
【００２９】
本実施形態では、端末装置２に対して１つまたは複数のサービングセルが設定される。複数のサービングセルが端末装置２に対して設定された場合、設定された複数のサービングセルは、１つのプライマリセルと１つまたは複数のセカンダリセルとを含んでよい。プライマリセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ−ｅｓｔａｂｌｉｓｈｍｅｎｔ）プロシージャを開始したサービングセル、または、ハンドオ−バプロシージャにおいてプライマリセルと指示されたセルでもよい。ＲＲＣ（Ｒａｄｉｏ  Ｒｅｓｏｕｒｃｅ  Ｃｏｎｔｒｏｌ）接続が確立された時点、または、ＲＲＣ接続が確立された後に、１つまたは複数のセカンダリセルが設定されてもよい。また、プライマリセル（ＰＣｅｌｌ）を含む１つまたは複数のサービングセルで構成されるセルグループ（マスターセルグループ（ＭＣＧ）とも称する）と、プライマリセルを含まず、少なくともランダムアクセス手順が実施可能であり非活性状態とならないプライマリセカンダリセル（ＰＳＣｅｌｌ）を含む１つまたは複数のサービングセルで構成される１つまたは複数のセルグループ（セカンダリセルグループ（ＳＣＧ）とも称する）とが端末装置２に対して設定されてもよい。マスターセルグループは１つのプライマリセルと０個以上のセカンダリセルで構成される。セカンダリセルグループは１つのプライマリセカンダリセルと０個以上のセカンダリセルで構成される。また、ＭＣＧとＳＣＧの何れかはＬＴＥのセルで構成されるセルグループであってもよい。
【００３０】
本実施形態の無線通信システムは、ＴＤＤ（Ｔｉｍｅ  Ｄｉｖｉｓｉｏｎ  Ｄｕｐｌｅｘ）および／またはＦＤＤ（Ｆｒｅｑｕｅｎｃｙ  Ｄｉｖｉｓｉｏｎ  Ｄｕｐｌｅｘ）が適用されてよい。複数のセルの全てに対してＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されてもよい。また、ＴＤＤ方式が適用されるセルとＦＤＤ方式が適用されるセルが集約されてもよい。
【００３１】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００３２】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００３３】
図１において、端末装置２と基地局装置３の下りリンク無線通信では、以下の下りリンク物理チャネルが用いられる。
【００３４】
・ＰＢＣＨ（Ｐｈｙｓｉｃａｌ  Ｂｒｏａｄｃａｓｔ  ＣＨａｎｎｅｌ）
・ＰＤＣＣＨ（Ｐｈｙｓｉｃａｌ  Ｄｏｗｎｌｉｎｋ  Ｃｏｎｔｒｏｌ  ＣＨａｎｎｅｌ）
・ＰＤＳＣＨ（Ｐｈｙｓｉｃａｌ  Ｄｏｗｎｌｉｎｋ  Ｓｈａｒｅｄ  ＣＨａｎｎｅｌ）
・ＰＵＣＣＨ（Ｐｈｙｓｉｃａｌ  Ｕｐｌｉｎｋ  Ｃｏｎｔｒｏｌ  ＣＨａｎｎｅｌ）
・ＰＵＳＣＨ（Ｐｈｙｓｉｃａｌ  Ｕｐｌｉｎｋ  Ｓｈａｒｅｄ  ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００３５】
ＰＢＣＨは、端末装置２が必要とする重要なシステム情報（Ｅｓｓｅｎｔｉａｌ  ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Ｗｒａｐ  ａｒｏｕｎｄ）。また、セル内の領域ごとに異なる重要情報ブロックが送信される場合には領域を識別できる情報（例えば、領域を構成する基地局送信ビームの識別子情報）が含まれてもよい。例えば、重要情報には、セルへの接続やモビリティのために必要な情報が含まれてもよい。また、重要情報メッセージはシステム情報メッセージの一部であってもよい。また、重要情報メッセージの一部あるいは全部が、最少システム情報（Ｍｉｎｉｍｕｍ  ＳＩ）と称されてもよい。あるセルにおける有効な最少システム情報のすべてが取得できない場合に、端末装置２は、そのセルをアクセスが禁止されたセル（Ｂａｒｒｅｄ  Ｃｅｌｌ）とみなしてもよい。また、最少システム情報の一部のみがＰＢＣＨで報知され、残りの最少システム情報が後述するＰＤＳＣＨで送信されてもよい。
【００３６】
また、ＰＢＣＨは、後述する同期信号を含むブロック（ＳＳ／ＰＢＣＨブロック、ＳＳブロックとも称する）の周期内の時間インデックスを報知するために用いられてよい。ここで、時間インデックスは、セル内の同期信号およびＰＢＣＨのインデックスを示す情報である。例えば、３つの送信ビームを用いてＳＳブロックを送信する場合、予め定められた周期内または設定された周期内の時間順を示してよい。また、端末装置２は、時間インデックスの違いを送信ビームの違いと認識してもよい。
【００３７】
ＰＤＣＣＨは、下りリンクの無線通信（基地局装置３から端末装置２への無線通信）において、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３８】
例えば、ＤＣＩとして、スロットフォーマットを示す情報が指示されてもよい。例えば、ＤＣＩとして、ＰＤＣＣＨおよび／またはＰＤＳＣＨが含まれる下りリンクの送信期間、ギャップ、ＰＵＣＣＨおよび／またはＰＵＳＣＨ、ＳＲＳが含まれる上りリンクの送信期間を示す情報を含むＤＣＩが定義されてもよい。
【００３９】
例えば、ＤＣＩとして、スケジューリングされたＰＤＳＣＨの送信期間を示す情報を含むＤＣＩが定義されてもよい。
【００４０】
例えば、ＤＣＩとして、スケジューリングされたＰＵＳＣＨの送信期間を示す情報を含むＤＣＩが定義されてもよい。
【００４１】
例えば、ＤＣＩとして、スケジューリングされたＰＤＳＣＨに対するＨＡＲＱ−ＡＣＫ
を送信するタイミングを示す情報を含むＤＣＩが定義されてもよい。
【００４２】
例えば、ＤＣＩとして、スケジューリングされたＰＵＳＣＨに対するＨＡＲＱ−ＡＣＫを送信するタイミングを示す情報を含むＤＣＩが定義されてもよい。
【００４３】
例えば、ＤＣＩとして、１つのセルにおける１つの下りリンクの無線通信ＤＳＣＨ（１つの下りリンクトランスポートブロックの送信）のスケジューリングのために用いられるＤＣＩが定義されてもよい。
【００４４】
例えば、ＤＣＩとして、１つのセルにおける１つの上りリンクの無線通信ＰＵＳＣＨ（１つの上りリンクトランスポートブロックの送信）のスケジューリングのために用いられるＤＣＩが定義されてもよい。
【００４５】
ここで、ＤＣＩには、ＰＤＳＣＨあるいはＰＵＳＣＨのスケジューリングに関する情報が含まれる。ここで、下りリンクに対するＤＣＩを、下りリンクグラント（ｄｏｗｎｌｉｎｋ  ｇｒａｎｔ）、または、下りリンクアサインメント（ｄｏｗｎｌｉｎｋ  ａｓｓｉｇｎｍｅｎｔ）とも称する。ここで、上りリンクに対するＤＣＩを、上りリンクグラント（ｕｐｌｉｎｋ  ｇｒａｎｔ）、または、上りリンクアサインメント（Ｕｐｌｉｎｋ  ａｓｓｉｇｎｍｅｎｔ）とも称する。
【００４６】
ＰＵＣＣＨは、上りリンクの無線通信（端末装置２から基地局装置３の無線通信）において、上りリンク制御情報（ＵＣＩ：Ｕｐｌｉｎｋ  Ｃｏｎｔｒｏｌ  Ｉｎｆｏｒｍａｔｉｏｎ）を送信するために用いられる。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。ＨＡＲＱ−ＡＣＫは、下りリンクデータ（Ｔｒａｎｓｐｏｒｔ  ｂｌｏｃｋ，  Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ：ＭＡＣ  ＰＤＵ，  Ｄｏｗｎｌｉｎｋ−Ｓｈａｒｅｄ  Ｃｈａｎｎｅｌ：ＤＬ−ＳＣＨ）に対するＨＡＲＱ−ＡＣＫを示してもよい。
【００４７】
ＰＤＳＣＨは、媒介アクセス（ＭＡＣ：Ｍｅｄｉｕｍ  Ａｃｃｅｓｓ  Ｃｏｎｔｒｏｌ）層からの下りリンクデータ（ＤＬ−ＳＣＨ：Ｄｏｗｎｌｉｎｋ  Ｓｈａｒｅｄ  ＣＨａｎｎｅｌ）の送信に用いられる。また、システム情報（ＳＩ：Ｓｙｓｔｅｍ  Ｉｎｆｏｒｍａｔｉｏｎ）やランダムアクセス応答（ＲＡＲ：Ｒａｎｄｏｍ  Ａｃｃｅｓｓ  Ｒｅｓｐｏｎｓｅ）などの送信にも用いられる。
【００４８】
ＰＵＳＣＨは、ＭＡＣ層からの上りリンクデータ（ＵＬ−ＳＣＨ：Ｕｐｌｉｎｋ  Ｓｈａｒｅｄ  ＣＨａｎｎｅｌ）または上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４９】
ここで、基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  
ｍｅｓｓａｇｅ、ＲＲＣ ｉｎｆｏｒｍａｔｉｏｎ：Ｒａｄｉｏ  Ｒｅｓｏｕｒｃｅ  Ｃ
ｏｎｔｒｏｌ  ｉｎｆｏｒｍａｔｉｏｎとも称される）を送受信してもよい。また、基地局装置３と端末装置２は、ＭＡＣ（Ｍｅｄｉｕｍ  Ａｃｃｅｓｓ  Ｃｏｎｔｒｏｌ）層において、ＭＡＣコントロールエレメントを送受信してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００５０】
ＰＤＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置２に対して共通のシグナリングであってもよい。また、基地局装置３から送信されるＲＲＣシグナリングは、ある端末装置２に対して専用のシグナリング（ｄｅｄｉｃａｔｅｄ  ｓｉｇｎａｌｉｎｇとも称する）であってもよい。すなわち、端末装置固有（ＵＥスペシフィック）な情報は、ある端末装置２に対して専用のシグナリングを用いて送信されてもよい。また、ＰＵＳＣＨは、上りリンクにおいてＵＥの能力（ＵＥ  Ｃａｐａｂｉｌｉｔｙ）の送信に用いられてもよい。
【００５１】
ＰＲＡＣＨは、ランダムアクセスプリアンブルを送信するために用いられてもよい。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられてもよい。
【００５２】
図１において、下りリンクの無線通信では、以下の下りリンク物理信号が用いられる。ここで、下りリンク物理信号は、上位層から出力された情報を送信するために使用されないが、物理層によって使用される。
・同期信号（Ｓｙｎｃｈｒｏｎｉｚａｔｉｏｎ  ｓｉｇｎａｌ：ＳＳ）
・参照信号（Ｒｅｆｅｒｅｎｃｅ  Ｓｉｇｎａｌ：ＲＳ）
【００５３】
同期信号は、端末装置２が下りリンクの周波数領域および時間領域の同期をとるために用いられる。同期信号は、プライマリ同期信号（ＰＳＳ：Ｐｒｉｍａｒｙ  Ｓｙｎｃｈｒｏｎｉｚａｔｉｏｎ  Ｓｉｇｎａｌ）およびセカンダリ同期信号（Ｓｅｃｏｎｄ  Ｓｙｎｃｈｒｏｎｉｚａｔｉｏｎ  Ｓｉｇｎａｌ）を含んでよい。また、同期信号は、端末装置２がセル識別子（セルＩＤ：Ｃｅｌｌ  Ｉｄｅｎｔｉｆｉｅｒ、ＰＣＩ：Ｐｈｙｓｉｃａｌ  Ｃｅｌｌ  Ｉｄｅｎｔｉｆｉｅｒとも称する）を特定するために用いられてもよい。また、同期信号は、下りリンクビームフォーミングにおいて基地局装置３が用いる基地局送信ビームおよび／または端末装置２が用いる端末受信ビームの選択／識別／決定に用いられてよい。すなわち、同期信号は、基地局装置３によって下りリンク信号に対して適用された基地局送信ビームのインデックスを、端末装置２が選択／識別／決定するために用いられてもよい。なお、ビームは、送信または受信フィルタ設定と呼ばれてもよい。また、同期信号は、セルの品質を測定するために用いられてもよい。例えば同期信号の受信電力（ＲＳＲＰ）や受信品質（ＲＳＲＱ）が測定に用いられてよい。また、同期信号は、一部の下りリンク物理チャネルの伝搬路補正を行なうために用いられてもよい。
【００５４】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
・ＤＭＲＳ（Ｄｅｍｏｄｕｌａｔｉｏｎ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）
・ＰＴＲＳ（Ｐｈａｓｅ  Ｔｒａｃｋｉｎｇ  Ｒｅｆｅｒｅｎｃｅ  Ｓｉｇｎａｌ）
・ＴＲＳ（Ｔｒａｃｋｉｎｇ  Ｒｅｆｅｒｅｎｃｅ  Ｓｉｇｎａｌ）
【００５５】
ＤＭＲＳは、受信した変調信号の復調時の伝搬路補償に用いられてよい。なお、ＤＭＲＳには、ＰＢＣＨを復調するための参照信号と、ＰＤＳＣＨを復調するための参照信号の２種類が定義されてもよいし、両方をＤＭＲＳと称してもよい。ＣＳＩ−ＲＳは、チャネル状態情報（ＣＳＩ：Ｃｈａｎｎｅｌ  Ｓｔａｔｅ  Ｉｎｆｏｒｍａｔｉｏｎ）の測定およびビームマネジメントに用いられてよい。ＰＴＲＳは、位相雑音に起因する周波数オフセットを保証する目的で、時間軸で位相をトラックするために用いられてよい。ＴＲＳは、高速移動時におけるドップラーシフトを保証するために使用されてよい。なお、ＴＲＳはＣＳＩ−ＲＳの１つの設定として用いられてよい。例えば、１ポートのＣＳＩ−ＲＳがＴＲＳとして無線リソースが設定されてもよい。
【００５６】
ただし、上記複数の参照信号の少なくとも一部は、他の参照信号がその機能を有してもよい。
【００５７】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置２に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００５８】
また、参照信号の少なくとも１つは、無線パラメータやサブキャリア間隔などのヌメロロジーやＦＦＴの窓同期などができる程度の細かい同期（Ｆｉｎｅ  ｓｙｎｃｈｒｏｎｉｚａｔｉｏｎ）に用いられて良い。
【００５９】
また、参照信号の少なくとも１つは、無線リソース管理（ＲＲＭ：Ｒａｄｉｏ  Ｒｅｓｏｕｒｃｅ  Ｍａｎａｇｅｍｅｎｔ）測定に用いられてよい。また、参照信号の少なくとも１つは、ビームマネジメントに用いられてよい。無線リソース管理測定のことを以下では単に測定とも称する。
【００６０】
ＢＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。トランスポートブロックは、ＭＡＣ層が物理層に渡す（ｄｅｌｉｖｅｒ）デ−タの単位である。物理層において、トランスポートブロックはコ−ドワードにマップされ、コ−ドワード毎に符号化処理が行なわれる。
【００６１】
ビームマネジメントは、送信装置（下りリンクの場合は基地局装置３であり、上りリンクの場合は端末装置２である）におけるアナログおよび／またはディジタルビームと、受信装置（下りリンクの場合は端末装置２、上りリンクの場合は基地局装置３である）におけるアナログおよび／またはディジタルビームの指向性を合わせ、ビーム利得を獲得するための基地局装置３および／または端末装置２の手続きであってよい。
【００６２】
なお、ビームペアリンクを構成、設定または確立する手続きとして、下記の手続きを含んでよい。
・ビーム選択（Ｂｅａｍ  ｓｅｌｅｃｔｉｏｎ）
・ビーム改善（Ｂｅａｍ  ｒｅｆｉｎｅｍｅｎｔ）
・ビームリカバリ（Ｂｅａｍ  ｒｅｃｏｖｅｒｙ）
【００６３】
例えば、ビーム選択は、基地局装置３と端末装置２の間の通信においてビームを選択する手続きであってよい。また、ビーム改善は、さらに利得の高いビームの選択、あるいは端末装置２の移動によって最適な基地局装置３と端末装置２の間のビームの変更をする手続きであってよい。ビームリカバリは、基地局装置３と端末装置２の間の通信において遮蔽物や人の通過などにより生じるブロッケージにより通信リンクの品質が低下した際にビームを再選択する手続きであってよい。
【００６４】
ビームマネジメントには、ビーム選択、ビーム改善が含まれてよい。ビームリカバリには、下記の手続きを含んでよい。
・ビーム障害（ｂｅａｍ  ｆａｉｌｕｒｅ）の検出
・新しいビームの発見
・ビームリカバリリクエストの送信
・ビームリカバリリクエストに対する応答のモニタ
【００６５】
例えば、端末装置２におけるビームを選択する際にＣＳＩ−ＲＳまたはＳＳ／ＰＢＣＨブロックに含まれるＳＳＳのＲＳＲＰ（Ｒｅｆｅｒｅｎｃｅ  Ｓｉｇｎａｌ  Ｒｅｃｅｉｖｅｄ  Ｐｏｗｅｒ）を用いてもよいし、ＣＳＩを用いてもよい。端末装置２は、セル品質の測定にＣＳＩ−ＲＳを使うのか、ＳＳ／ＰＢＣＨブロックを使うのかを示す情報を基地局装置３から受信し、対応するＲＳＲＰおよび／ＲＳＲＱを測定する。また、基地局装置３への報告としてＣＳＩ−ＲＳリソースインデックス（ＣＲＩ：ＣＳＩ−ＲＳ  Ｒｅｓｏｕｒｃｅ  Ｉｎｄｅｘ）を用いてもよいし、ＳＳ／ＰＢＣＨブロックに含まれるＰＢＣＨで報知される時間インデックスを用いてもよい。
【００６６】
また、基地局装置３は、端末装置２へビームを指示する際にＣＲＩまたはＳＳ／ＰＢＣＨの時間インデックスを指示し、端末装置２は、指示されたＣＲＩまたはＳＳ／ＰＢＣＨの時間インデックスに基づいて受信する。このとき、端末装置２は指示されたＣＲＩまたはＳＳ／ＰＢＣＨの時間インデックスに基づいて空間フィルタを設定し、受信してよい。また、端末装置２は、疑似同位置（ＱＣＬ：Ｑｕａｓｉ−Ｃｏ−Ｌｏｃａｔｉｏｎ）の想定を用いて受信してもよい。ある信号（アンテナポート、同期信号、参照信号など）が別の信号（アンテナポート、同期信号、参照信号など）とＱＣＬであるまたは、ＱＣＬ想定されるとは、ある信号が別の信号と関連付けられていると解釈できる。
【００６７】
もしあるアンテナポートにおけるあるシンボルが搬送されるチャネルの長区間特性（Ｌｏｎｇ  Ｔｅｒｍ  Ｐｒｏｐｅｒｔｙ）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００６８】
このＱＣＬは、ビームマネジメントにも拡張されうる。そのために、空間に拡張したＱＣＬが新たに定義されてもよい。例えば、空間のＱＣＬ想定におけるチャネルの長区間特性（Ｌｏｎｇ  ｔｅｒｍ  ｐｒｏｐｅｒｔｙ）として、無線リンクあるいはチャネルにお
ける到来角（ＡｏＡ（Ａｎｇｌｅ  ｏｆ  Ａｒｒｉｖａｌ）, ＺｏＡ（Ｚｅｎｉｔｈ  ａｎｇｌｅ  ｏｆ  Ａｒｒｉｖａｌ）など）および／または角度広がり（Ａｎｇｌｅ  Ｓｐｒｅａｄ、例えばＡＳＡ（Ａｎｇｌｅ  Ｓｐｒｅａｄ  ｏｆ  Ａｒｒｉｖａｌ）やＺＳＡ（Ｚｅｎｉｔｈ  ａｎｇｌｅ  Ｓｐｒｅａｄ  ｏｆ  Ａｒｒｉｖａｌ））、送出角（ＡｏＤ、ＺｏＤなど）やその角度広がり（Ａｎｇｌｅ  Ｓｐｒｅａｄ、例えばＡＳＤ（Ａｎｇｌｅ  Ｓｐｒｅａｄ  ｏｆ  Ｄｅｐａｒｔｕｒｅ）やＺＳＳ（Ｚｅｎｉｔｈ  ａｎｇｌｅ
Ｓｐｒｅａｄ  ｏｆ  Ｄｅｐａｒｔｕｒｅ））、空間相関（Ｓｐａｔｉａｌ  Ｃｏｒｒｅｌａｔｉｏｎ）、受信空間パラメータであってもよい。
【００６９】
例えば、アンテナポート１とアンテナポート２の間で受信空間パラメータに関してＱＣＬであるとみなせる場合、アンテナポート１からの信号を受信する受信ビーム（空間フィルタ）からアンテナポート２からの信号を受信する受信ビームが推論されうることを意味する。
【００７０】
この方法により、ビームマネジメントおよびビーム指示／報告として、空間のＱＣＬ想定と無線リソース（時間および／または周波数）によりビームマネジメントと等価な基地局装置３、端末装置２の動作が定義されてもよい。
【００７１】
本実施形態の無線プロトコル構造について説明する。
【００７２】
本実施形態では、端末装置２及び基地局装置３のユーザデータを扱うプロトコルスタックをユーザプレーン（ＵＰ（Ｕｓｅｒ−ｐｌａｎｅ、Ｕ−Ｐｌａｎｅ））プロトコルスタック、制御デ−タを扱うプロトコルスタックを制御プレ−ン（ＣＰ（Ｃｏｎｔｒｏｌ−ｐｌａｎｅ、Ｃ−Ｐｌａｎｅ））プロトコルスタックと称する。
【００７３】
物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデ−タが移動する。端末装置２と基地局装置３のＰＨＹ層間において、物理チャネルを介してデ−タの送受信が行われる。
【００７４】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ層は、間欠受送信（ＤＲＸ・ＤＴＸ）するためにＰＨＹ層の制御を行う機能、ランダムアクセス手順を実行する機能、送信電力の情報を通知する機能、ＨＡＲＱ制御を行う機能などを持つ。
【００７５】
ＲＬＣ層は、上位層から受信したデ−タを分割（Ｓｅｇｍｅｎｔａｔｉｏｎ）し、下位層が適切にデ−タ送信できるようにデ−タサイズを調節する。また、ＲＬＣ層は、各デ−タが要求するＱｏＳ（Ｑｕａｌｉｔｙ  ｏｆ  Ｓｅｒｖｉｃｅ）を保証するための機能も持つ。すなわち、ＲＬＣ層は、デ−タの再送制御等の機能を持つ。
【００７６】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持ってもよい。また、ＰＤＣＰ層は、デ−タの暗号化の機能も持ってもよい。
【００７７】
サービスデータアダプテーションプロトコル層（Ｓｅｒｖｉｃｅ  Ｄａｔａ  Ａｄａｐｔａｔｉｏｎ  Ｐｒｏｔｏｃｏｌ  ｌａｙｅｒ：ＳＤＡＰ層）は、コアネットワークから基地局装置３を介して端末装置２に送られるダウンリンクデータのＱｏＳと、前記ダウンリンクデータに関連付けられたアップリンクデータのＱｏＳとを対応付け、後述するＤＲＢにマッピングする機能を持ってもよい。
【００７８】
さらに、制御プレ−ンプロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。基地局装置３と端末装置２のＲＲＣ層間で各ＲＢの設定が行われてもよい。
【００７９】
ＳＲＢはＲＲＣメッセージとＮＡＳメッセージを送信するために用いられる無線ベアラとして定義される。さらに、ＳＲＢは、ＣＣＣＨ論理チャネルを用いるＲＲＣメッセージのためのＳＲＢ（ＳＲＢ０）、ＤＣＣＨ論理チャネルを用いるＲＲＣメッセージとＳＲＢ２の確立よりも前に送信されるＮＡＳメッセージのためのＳＲＢ（ＳＲＢ１）、ＤＣＣＨ論理チャネルを用いるＮＡＳメッセージと記録された測定情報（Ｌｏｇｇｅｄ  ｍｅａｓｕｒｅｍｅｎｔ  ｉｎｆｏｒｍａｔｉｏｎ）などを含むＲＲＣメッセージのためのＳＲＢ（ＳＲＢ２）、が定義されてよい。また、それ以外のＳＲＢが定義されてよい。
【００８０】
ＭＣＧ  ＳＲＢは、ＭＣＧのＳＲＢを用いて、送信される。ＭＣＧ  Ｓｐｌｉｔ  ＳＲＢは、ＭＣＧまたはＳＣＧのＳＲＢを用いて、送信されるが、ＰＤＣＰが、ＭＣＧ側に配置されるので、本明細書では、ＭＣＧ  ＳＲＢとして説明する。すなわち、“ＭＣＧ  ＳＲＢ“は、“ＭＣＧ  ＳＲＢおよび／またはＭＣＧ  Ｓｐｌｉｔ  ＳＲＢ“と置き換えてもよい。ＳＣＧ  ＳＲＢは、ＳＣＧのＳＲＢを用いて、送信される。ＳＣＧ  Ｓｐｌｉｔ
ＳＲＢは、ＭＣＧまたはＳＣＧのＳＲＢを用いて、送信されるが、ＰＤＣＰが、ＳＣＧ側に配置されるので、本明細書では、ＳＣＧ  ＳＲＢとして説明する。すなわち、“ＳＣＧ  ＳＲＢ“は、“ＳＣＧ  ＳＲＢおよび／またはＳＣＧ  Ｓｐｌｉｔ  ＳＲＢ“と置き換えてもよい。
【００８１】
また、ＭＣＧ  ＳＲＢにはＳＲＢ０とＳＲＢ１とＳＲＢ２とが用意されるかもしれない。また、ＳＣＧ  ＳＲＢにはＳＲＢ１と同等の機能をもつＳＲＢ３が用意されてもよい。ＳＣＧ  ＳＲＢにはＳＲＢ０および／またはＳＲＢ２と同等の機能をもつＳＲＢが用意されないかもしれない。
【００８２】
また、ＭＣＧ  ＳＲＢでは、ＮＡＳメッセージおよびＲＲＣメッセージを送ることができ、ＳＣＧ  ＳＲＢでは、ＲＲＣメッセージを送ることができるようにしてもよい。ＳＣＧ  ＳＲＢでは、ＮＡＳメッセージを送ることができないようにしてもよい。
【００８３】
ＭＣＧ  ＤＲＢは、ＭＣＧのＤＲＢを用いて、送信される。ＭＣＧ  Ｓｐｌｉｔ  ＤＲＢは、ＭＣＧまたはＳＣＧのＤＲＢを用いて、送信されるが、ＰＤＣＰが、ＭＣＧ側に配置されるので、本明細書では、ＭＣＧ  ＤＲＢとして説明する。すなわち、“ＭＣＧ  ＤＲＢ“は、“ＭＣＧ  ＤＲＢおよび／またはＭＣＧ  Ｓｐｌｉｔ  ＤＲＢ“と置き換えてもよい。ＳＣＧ  ＤＲＢは、ＳＣＧのＤＲＢを用いて、送信される。ＳＣＧ  Ｓｐｌｉｔ
ＤＲＢは、ＭＣＧまたはＳＣＧのＤＲＢを用いて、送信されるが、ＰＤＣＰが、ＳＣＧ側に配置されるので、本明細書では、ＳＣＧ  ＤＲＢとして説明する。すなわち、“ＳＣ
Ｇ  ＤＲＢ“は、“ＳＣＧ  ＤＲＢおよび／またはＳＣＧ  Ｓｐｌｉｔ  ＤＲＢ“と置き換えてもよい。
【００８４】
なお、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデ−タリンク層に対応し、ＲＲＣ層はＯＳＩモデルの第三層であるネットワーク層に対応する。
【００８５】
上記のＭＡＣ層、ＲＬＣ層及びＰＤＣＰ層の機能分類は一例であり、各機能の一部あるいは全部が実装されなくてもよい。また、各層の機能の一部あるいは全部が他の層に含まれてもよい。例えば、物理層から見れば、ＭＡＣ層のコントロ−ルエレメント、およびＲＲＣシグナリングは、上位層の信号である。例えば、ＭＡＣ層から見れば、ＲＲＣシグナリングは、上位層の信号である。ＲＲＣ層から見れば、ＭＡＣ層および物理層は、下位層である。ＲＲＣ層から見て、例えばＮＡＳ層は、上層（Ｕｐｐｅｒ  Ｌａｙｅｒ）とも称する。
【００８６】
また、ネットワークと端末装置２との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置２と基地局装置３との間で用いられるアクセス層プロトコルである。また、端末装置２の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置２とコアネットワーク（ＣＮ）との間で用いられる。例えば、端末装置２とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置３を介して透過的に行われる。
【００８７】
以下、サブフレ−ムについて説明する。本実施形態ではサブフレ−ムと称するが、リソースユニット、無線フレ−ム、時間区間、時間間隔などと称されてもよい。また、１つまたは複数のサブフレ−ムが１つの無線フレ−ムを構成してもよい。
【００８８】
図４は、本発明の実施形態に係る下りリンクスロットの概略構成の一例を示す図である。無線フレ−ムのそれぞれは、１０ｍｓ長である。また、無線フレ−ムのそれぞれは１０個のサブフレ−ムおよびＸ個のスロットから構成される。つまり、１サブフレ−ムの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Ｎｏｒｍａｌ  Ｃｙｃｌｉｃ  Ｐｒｅｆｉｘ）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図４は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図４のセルの帯域幅は帯域の一部（ＢＷＰ：Ｂａｎｄ  Ｗｉｄｔｈ  Ｐａｒｔ）として定義されてもよい。あるいは、ＢＷＰはセルの帯域幅の一部として定義されてもよい。また、スロットは、送信時間間隔（ＴＴＩ：Ｔｒａｎｓｍｉｓｓｉｏｎ  Ｔｉｍｅ  Ｉｎｔｅｒｖａｌ）と定義されてもよい。スロットは、ＴＴＩとして定義されなくてもよい。ＴＴＩは、トランスポートブロックの送信期間であってもよい。
【００８９】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００９０】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Ｅｘｔｅｎｄｅｄ  ＣＰ）の場合、１つの物理リソースブロックは、例えば、時間領域において６個の連続するＯＦＤＭシンボルと、周波数領域において１２個の連続するサブキャリアとにより定義される。つまり、1つの物理リソースブロックは、（６×１２）個のリソースエレメントから構成される。
このとき、1つの物理リソースブロックは、時間領域において１つのスロットに対応し、
１５ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００９１】
サブキャリア間隔設定μについて説明する。ＮＲでは、複数のＯＦＤＭヌメロロジーがサポートされる。あるＢＷＰにおいて、サブキャリア間隔設定μ（μ＝０，１，．．．，５）と、サイクリックプレフィックス長は、下りリンクのＢＷＰに対して上位レイヤで与えられ、上りリンクのＢＷＰにおいて上位レイヤで与えられる。ここで、μが与えられると、サブキャリア間隔Δｆは、Δｆ＝２＾μ・１５（ｋＨｚ）で与えられる。
【００９２】
サブキャリア間隔設定μにおいて、スロットは、サブフレーム内で０からＮ＾{ｓｕｂ
ｆｒａｍｅ，μ｝＿｛ｓｌｏｔ｝−１に昇順に数えられ、フレーム内で０からＮ＾｛ｆｒａｍｅ，μ｝＿｛ｓｌｏｔ｝−１に昇順に数えられる。スロット設定およびサイクリックプレフィックスに基づいてＮ＾｛ｓｌｏｔ｝＿｛ｓｙｍｂ｝の連続するＯＦＤＭシンボルがスロット内にある。Ｎ＾｛ｓｌｏｔ｝＿｛ｓｙｍｂ｝は７または１４である。サブフレーム内のスロットｎ＾｛μ｝＿｛ｓ｝のスタートは、同じサブフレーム内のｎ＾｛μ｝＿｛ｓ｝  Ｎ＾｛ｓｌｏｔ｝＿｛ｓｙｍｂ｝番目のＯＦＤＭシンボルのスタートと時間でアラインされている。
【００９３】
次に、サブフレ−ム、スロット、ミニスロットについて説明する。図５は、サブフレ−ム、スロット、ミニスロットの時間領域における関係を示した図である。同図のように、３種類の時間ユニットが定義される。サブフレ−ムは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレ−ムには１４ＯＦＤＭシンボル含まれる。
【００９４】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジュ−リングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の
相対的な時間位置が固定であるリソースがスケジュールされたと表現されてもよい。
【００９５】
図６は、スロットまたはサブフレ−ム（サブフレ−ムタイプ）の一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパ−ト（デュレ−ション）
・ギャップ
・上りリンクパ−ト（デュレ−ション）
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に含まれる上りリンクのＯＦＤＭシンボルまたはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００９６】
図６（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図６（ｂ）は、最初の時間リソースで例えばＰＤＣＣＨを介して上りリンクのスケジュ−リングを行い、ＰＤＣＣＨの処理遅延及び下りから上りの切り替え時間、送信信号の生成のためのギャップを介して上りリンク信号を送信する。図６（ｃ）は、最初の時間リソースでＰＤＣＣＨおよび／またはＰＤＳＣＨの送信に用いられ、処理遅延及び下りから上りの切り替え時間、送信信号の生成のためのギャップを介してＰＵＳＣＨまたはＰＵＣＣＨの送信に用いられる。ここで、一例としては、上りリンク信号はＨＡＲＱ−ＡＣＫおよび／またはＣＳＩ、すなわちＵＣＩの送信に用いられてよい。図６（ｄ）は、最初の時間リソースでＰＤＣＣＨおよび／またはＰＤＳＣＨの送信に用いられ、処理遅延及び下りから上りの切り替え時間、送信信号の生成のためのギャップを介してＰＵＳＣＨおよび／またはＰＵＣＣＨの送信に用いられる。ここで、一例としては、上りリンク信号は上りリンクデ−タ、すなわちＵＬ−ＳＣＨの送信に用いられてもよい。図６（ｅ）は、全て上りリンク送信（ＰＵＳＣＨまたはＰＵＣＣＨ）に用いられている例である。
【００９７】
上述の下りリンクパ−ト、上りリンクパ−トは、ＬＴＥと同様複数のＯＦＤＭシンボルで構成されてよい。
【００９８】
図７は、ビームフォーミングの一例を示した図である。複数のアンテナエレメントが１つの送信ユニット（ＴＸＲＵ：Ｔｒａｎｓｃｅｉｖｅｒ  ｕｎｉｔ）７１０に接続され、アンテナエレメント毎の位相シフタ１１によって位相を制御し、アンテナエレメント７１２から送信することで送信信号に対して任意の方向にビームを向けることができる。典型的には、ＴＸＲＵがアンテナポートとして定義されてよく、端末装置２においてはアンテナポートのみが定義されてよい。位相シフタ７１１を制御することで任意の方向に指向性を向けることができるため、基地局装置３は端末装置２に対して利得の高いビームを用いて通信することができる。
【００９９】
ＢＷＰ（Ｂａｎｄ  Ｗｉｄｔｈ  Ｐａｒｔ）について、説明を行う。
【０１００】
ＢＷＰはサービングセルの帯域の一部あるいは全部の帯域であってよい。また、ＢＷＰはキャリアＢＷＰ（Ｃａｒｒｉｅｒ  ＢＷＰ）と呼称されてもよい。端末装置２には、１
つまたは複数のＢＷＰが設定されてよい。あるＢＷＰは初期セルサーチで検出された同期信号に対応づけられた報知情報に含まれる情報によって設定されてもよい。また、あるＢＷＰは初期セルサーチを行う周波数に対応づけられた周波数帯域幅であってもよい。また、あるＢＷＰはＲＲＣシグナリング（例えばＤｅｄｉｃａｔｅｄ  ＲＲＣ  ｓｉｇｎａｌｉｎｇ）で設定されてもよい。また、下りリンクのＢＷＰ（ＤＬ  ＢＷＰ）と上りリンクのＢＷＰ（ＵＬ  ＢＷＰ）とが個別に設定されてもよい。また、１つまたは複数の上りリンクのＢＷＰが１つまたは複数の下りリンクのＢＷＰと対応づけられてよい。また、上りリンクのＢＷＰと下りリンクのＢＷＰとの対応づけは既定の対応づけであってもよいし、ＲＲＣシグナリング（例えばＤｅｄｉｃａｔｅｄ  ＲＲＣ  ｓｉｇｎａｌｉｎｇ）による対応付けでもよいし、物理層のシグナリング（例えば下りリンク制御チャネルで通知される下りリンク制御情報（ＤＣＩ）による対応付けであってもよいし、それらの組み合わせであってもよい。
【０１０１】
ＢＷＰは連続する物理無線ブロック（ＰＲＢ：Ｐｈｙｓｉｃａｌ  Ｒｅｓｏｕｒｃｅ  Ｂｌｏｃｋ）のグループで構成されてよい。また、接続状態の端末装置２に対して、各コンポーネントキャリアのＢＷＰ（１つまたは複数のＢＷＰ）のパラメータが設定されてよい。各コンポーネントキャリアのＢＷＰのパラメータには、（Ａ）サイクリックプレフィックスの種類、（Ｂ）サブキャリア間隔、（Ｃ）ＢＷＰの周波数位置（例えば、ＢＷＰの低周波数側の開始位置または中央周波数位置）（周波数位置は例えば、ＡＲＦＣＮが用いられてもよいし、サービングセルの特定のサブキャリアからのオフセットが用いられてもよい。また、オフセットの単位はサブキャリア単位であってもよいし、リソースブロック単位でもよい。また、ＡＲＦＣＮとオフセットの両方が設定されるかもしれない。）、（Ｄ）ＢＷＰの帯域幅（例えばＰＲＢ数）、（Ｅ）制御信号のリソース設定情報、（Ｆ）ＳＳブロックの中心周波数位置（周波数位置は例えば、ＡＲＦＣＮが用いられてもよいし、サービングセルの特定のサブキャリアからのオフセットが用いられてもよい。また、オフセットの単位はサブキャリア単位であってもよいし、リソースブロック単位でもよい。また、ＡＲＦＣＮとオフセットの両方が設定されるかもしれない。）、の一部あるいは全部が含まれてよい。また、制御信号のリソース設定情報が、少なくともプライマリセルおよび／またはプライマリセカンダリセルの一部あるいは全部のＢＷＰの設定に含まれてもよい。
【０１０２】
端末装置２は、１つまたは複数の設定されたＢＷＰのうち、アクティブなＢＷＰ（Ａ−ＢＷＰ）において送受信をおこなってよい。また、端末装置２に対して、一つのサービングセルに対して設定された１つまたは複数のＢＷＰのうち、ある時間において、最大で１つの上りリンクＢＷＰと最大で１つの下りリンクＢＷＰとがＡ−ＢＷＰとなるように設定されてもよい。
【０１０３】
セル特有に設定されるＢＷＰを初期ＢＷＰ（Ｉ−ＢＷＰ）と呼称してもよい。Ｉ−ＢＷＰは、ＳｅｒｖｉｎｇＣｅｌｌＣｏｎｆｉｇＣｏｍｍｏｎに含まれるＢＷＰ設定によって設定されるＢＷＰであってもよい。Ｉ−ＢＷＰのＳＳブロックおよび／またはＣＳＩ−ＲＳは、セル定義のＳＳブロックおよび／またはＣＳＩ−ＲＳとして定義されてもよい。セル定義のＳＳブロックおよび／またはＣＳＩ−ＲＳは、サービングセルの時間リファレンスとして用いられてもよい。また、セル定義のＳＳブロックおよび／またはＣＳＩ−ＲＳは、ＳＳブロックおよび／またはＣＳＩ−ＲＳに基づくサービングセルの測定のために用いられてもよい。Ｉ−ＢＷＰおよび／または後述するデフォルトＢＷＰ（Ｄ−ＢＷＰ）は、ＲＲＣシグナリング（例えばＲＲＣ再設定メッセージなど）で設定（または再設定）されてもよい。Ｉ−ＢＷＰは、ＲＲＣ再設定メッセージの同期再設定情報要素（ｓｙｎｃｈｒｏｎｏｕｓＲｅｃｏｎｆｉｇｕｒａｔｉｏｎ  Ｉｎｆｏｒｍａｔｉｏｎ  Ｅｌｅｍｅｎｔ）に含まれる情報によって設定あるいは変更されてもよい。ＳｅｒｖｉｎｇＣｅｌｌＣｏｎｆｉｇＣｏｍｍｏｎが、同期再設定情報要素に含まれてもよい。デフォルトＢＷＰ（
Ｄ−ＢＷＰ）は、ＲＲＣ再設定メッセージの同期再設定情報要素以外の情報要素に含まれる情報によって設定あるいは変更されてもよい。同期再設定情報要素以外の情報要素に含まれる情報は、ＳｅｒｖｉｎｇＣｅｌｌＣｏｎｆｉｇＤｅｄｉｃａｔｅｄを含んでもよい。Ｉ−ＢＷＰは、ＳｅｒｖｉｎｇＣｅｌｌＣｏｎｆｉｇＤｅｄｉｃａｔｅｄに含まれるデフォルトＢＷＰ設定によって設定されるＢＷＰであってもよい。ＳｅｒｖｉｎｇＣｅｌｌＣｏｎｆｉｇＤｅｄｉｃａｔｅｄに一つまたは複数のＢＷＰの設定が含まれてもよい。Ｄ−ＢＷＰを含む複数のＢＷＰを設定された端末装置２は、複数のＢＷＰを切り替えて（Ｓｗｉｔｃｈ）して通信してもよい。例えば、あるタイマーを用いた制御によって、他のＢＷＰからＤ−ＢＷＰにＡ−ＢＷＰを切り替えて送受信を行う。すなわち、タイマーが満了（Ｅｘｐｉｒｅ）した場合にＡ−ＢＷＰをＤ−ＢＷＰに戻して（Ｓｗｉｔｃｈして）送受信をおこなってもよい。前記タイマーはＤＲＸ（Ｄｉｓｃｏｎｔｉｎｕｅｄ  ＲＸ）のタイマーと兼用であってもよい。例えば、ＤＲＸのインアクティブタイマーが満了した場合（アクティブ状態からインアクティブ状態に移る場合）にＤ−ＢＷＰに戻るように制御してもよい。また、ＤＲＸのタイマーとは独立したタイマーを用いてもよい。例えば、ＢＷＰの切り替えをトリガとしてスタートするタイマーを用いて、そのタイマーが満了した場合にＤ−ＢＷＰに戻る（Ｓｗｉｔｃｈする）ようにしてもよい。
【０１０４】
また、Ｉ−ＢＷＰとＤ−ＢＷＰは同じＢＷＰであってもよい。また、Ｉ−ＢＷＰとＤ−ＢＷＰは異なるＢＷＰであってもよい。Ｄ−ＢＷＰが設定されていない端末装置２は、Ｉ−ＢＷＰをＤ−ＢＷＰとみなしてもよい。
【０１０５】
また、Ａ−ＢＷＰの切り替え（ＢＷＰのアクティベーションおよび／またはデアクティベーション）は、（Ａ）ＲＲＣシグナリング、および／または（Ｂ）物理層のシグナリング（例えばＤＣＩ）で基地局装置３から端末装置２に通知されてもよい。
【０１０６】
ＳＳブロックについて説明する。ＳＳブロックは、時間領域において、０から３まで番号づけられた４ＯＦＤＭシンボルで構成されてよい。ＳＳブロックは、周波数領域において、２４個の連続するリソースブロックで構成されてよい。ＳＳブロックは、周波数領域において、０から２８７まで低周波数側から順番に番号づけられた連続するサブキャリアで構成されてよい。また、端末装置２は、プライマリ同期信号（ＰＳＳ）を構成するシンボルのシーケンスが、係数（ファクタ）βｓｓによってスケーリングされた電力で、ＳＳブロックのリソースエレメントにマッピングされると想定してよい。また、端末装置２は、セカンダリ同期信号（ＳＳＳ）を構成するシンボルのシーケンスが、係数（ファクタ）βｓｓによってスケーリングされた電力で、ＳＳブロックのリソースエレメントにマッピングされると想定してよい。また、端末装置２は、ＰＢＣＨを構成する複素シンボルのシーケンスが、係数（ファクタ）βＰＢＣＨによってスケーリングされた電力で、ＳＳブロックのリソースエレメントにマッピングされると想定してよい。また、端末装置２は、ＳＳブロックのための復調参照信号（Ｄｅｍｏｄｕｌａｔｉｏｎ  ｒｅｆｅｒｅｎｃｅ  ｓｉｇｎａｌ）を構成する複素シンボルのシーケンスが、係数（ファクタ）βＰＢＣＨ＾ＤＭＲＳによってスケーリングされた電力で、ＳＳブロックのリソースエレメントにマッピングされると想定してよい。ＳＳブロックは、１つのＰＳＳと１つのＳＳＳと１つのＰＢＣＨを含む。同じＳＳブロック内の１つのＰＳＳと１つのＳＳＳと１つのＰＢＣＨは、連続したＯＦＤＭシンボルに配置されてよい。
【０１０７】
また、ＳＳブロックの電力のスケーリングに用いられる係数（ファクタ）は基地局装置３から報知および／または通知されてもよい。また、係数（ファクタ）はＢＷＰ毎に独立した設定であってもよい。
【０１０８】
無線リンク監視（ＲＬＭ：Ｒａｄｉｏ  Ｌｉｎｋ  Ｍｏｎｉｔｏｒｉｎｇ）について説明する。
【０１０９】
ＲＲＣ接続した端末装置２が無線リンク障害（Ｒａｄｉｏ  Ｌｉｎｋ  Ｆａｉｌｕｒｅ）を検出する動作の一例について説明する。
【０１１０】
端末装置２は、在圏する基地局装置３から、サービングセルの物理層問題（Ｐｈｙｓｉｃａｌ  ｌａｙｅｒ  ｐｒｏｂｌｅｍｓ）の検出のためのタイマー（Ｔ３１０）の値（ｔ３１０）、同期外れ（ＯｏＳ：ｏｕｔ-ｏｆ?ｓｙｎｃ）の検出回数の閾値であるＮ３１０、同期中（ＩＳ：ｉｎ?ｓｙｎｃ）の検出回数の閾値であるＮ３１１などの情報を報知情
報やユーザ個別へのＲＲＣメッセージによって取得する。また、前記タイマーの値や回数の閾値はデフォルトの値が設定されてもよい。
【０１１１】
無線リンク監視のために、端末装置２の物理層処理部は、受信した参照信号（例えばＲＬＭ−ＲＳ）の受信電力などの情報に基づき、サービングセルの無線リンク品質が特定の期間（例えばＴＥｖａｌｕａｔｅ＿Ｑｏｕｔ＝２００ｍｓ）を越えて特定の閾値（Ｑｏｕｔ）より悪いと推定（ｅｓｔｉｍａｔｅ）されるときに、上位レイヤである無線リソース制御（Ｒａｄｉｏ  Ｒｅｓｏｕｒｃｅ  Ｃｏｎｔｒｏｌ：ＲＲＣ）層処理部に対して「同期外れ（ｏｕｔ−ｏｆ−ｓｙｎｃ）」を通知する。また、物理層処理部は、受信した参照信号の受信電力などの情報に基づき、サービングセルの無線リンク品質が特定の期間（例えばＴＥｖａｌｕａｔｅ＿Ｑｉｎ＝１００ｍｓ）を越えて特定の閾値（Ｑｉｎ）を超えると推定されるときに、上位レイヤである無線リソース制御層処理部に対して「同期中（ｉｎ−ｓｙｎｃ）」を通知する。なお、物理層処理部は、同期外れあるいは同期中の上位レイヤへの通知を特定の間隔（例えばＴＲｅｐｏｒｔ＿ｓｙｎｃ＝１０ｍｓ）以上あけて行うようにしてもよい。
【０１１２】
端末装置２は、基地局装置３からＲＲＣメッセージやその他のシグナリングによって、以下の（Ａ）から（Ｄ）の一部あるいは全部の情報が通知されてもよい。
（Ａ）Ｄ−ＢＷＰのＲＬＭ−ＲＳのリソース情報
（Ｂ）Ｄ−ＢＷＰで用いられるタイマー（例えばＴ３１０）の値や回数の閾値（例えばＮ３１０，Ｎ３１１）の情報
（Ｃ）サービングセル（例えばＰＣｅｌｌおよび／またはＰＳＣｅｌｌ）のＲＬＭ−ＲＳのリソース情報
（Ｄ）サービングセル（例えばＰＣｅｌｌおよび／またはＰＳＣｅｌｌ）で用いられるタイマー（例えばＴ３１０）の値や回数の閾値（例えばＮ３１０，Ｎ３１１）の情報
（Ｅ）Ｉ−ＢＷＰのＲＬＭ−ＲＳのリソース情報
（Ｆ）Ｉ−ＢＷＰで用いられるタイマー（例えばＴ３１０）の値や回数の閾値（例えばＮ３１０，Ｎ３１１）の情報
【０１１３】
ここで、例えば、閾値Ｑｏｕｔは、下りリンクの無線リンクが確実（ｒｅｌｉａｂｌｙ）に受信できず、さらに、既定のパラメータに基づく仮定（ｈｙｐｏｔｈｅｔｉｃａｌ）の下りリンク制御チャネル（ＰＤＣＣＨ）の送信のブロック誤り率（Ｂｌｏｃｋ  ｅｒｒｏｒ  ｒａｔｅ）が１０％となるレベルとして定義されてもよい。また、例えば、閾値Ｑｉｎは、下りリンクの無線リンク品質が著しく（ｓｉｇｎｉｆｉｃａｎｔｌｙ）Ｑｏｕｔの状態よりも確実に受信でき、さらに、既定のパラメータに基づく仮定の下りリンク制御チャネルの送信のブロック誤り率が２％となるレベルとして定義されてもよい。また、使用される周波数やサブキャリア間隔、サービスの種別などに基づき複数のブロック誤り率（閾値Ｑｏｕｔと閾値Ｑｉｎのレベル）が定義されてもよい。
【０１１４】
端末装置２は、サービングセル（例えばＰＣｅｌｌおよび／またはＰＳＣｅｌｌ）において、Ａ−ＢＷＰがＤ−ＢＷＰと異なる場合に、Ｄ−ＢＷＰのＲＬＭ−ＲＳを用いて無線リンク監視を行なってもよい。Ａ−ＢＷＰがＩ−ＢＷＰと異なる場合に、Ｉ−ＢＷＰのＲ
ＬＭ−ＲＳを用いて無線リンク監視を行なってもよい。また、端末装置２は、サービングセル（例えばＰＣｅｌｌおよび／またはＰＳＣｅｌｌ）において、ＢＷＰごとにＲＬＭ−ＲＳが設定され、Ａ−ＢＷＰのＲＬＭ−ＲＳを用いて無線リンク監視を行なってもよい。また、端末装置２は、サービングセル（例えばＰＣｅｌｌおよび／またはＰＳＣｅｌｌ）において、ＢＷＰに依存しないＲＬＭ−ＲＳが設定され、そのＲＬＭ−ＲＳを用いて無線リンク監視を行なってもよい。また、端末装置２の物理層処理部は、サービングセル（例えばＰＣｅｌｌおよび／またはＰＳＣｅｌｌ）において、Ａ−ＢＷＰがＤ−ＢＷＰであるときに発生した同期外れおよび同期中のみを上位レイヤに通知してもよいし、Ａ−ＢＷＰで発生した同期外れおよび同期中のみを上位レイヤに通知してもよい。また、端末装置２の物理層処理部は、サービングセル（例えばＰＣｅｌｌおよび／またはＰＳＣｅｌｌ）において、そのサービングセルで設定されたＲＬＭ−ＲＳのうち少なくとも１つのＲＬＭ−ＲＳを用いた測定が同期中となる条件を満たしている場合には同期中を上位レイヤに通知してもよい。また、端末装置２の物理層処理部は、サービングセル（例えばＰＣｅｌｌおよび／またはＰＳＣｅｌｌ）において、そのサービングセルでＲＬＭのために設定されたＤ−ＢＷＰ、Ｉ−ＢＷＰおよび／またはＡ−ＢＷＰのＲＬＭ−ＲＳのうち少なくとも１つのＲＬＭ−ＲＳを用いた測定が同期中となる条件を満たしている場合には同期中を上位レイヤに通知してもよい。
【０１１５】
プライマリセルにおいて、端末装置２の無線リソース制御層処理部は、物理層処理部から通知される同期外れを既定回数（Ｎ３１０回）連続して受け取った場合にタイマー（Ｔ３１０）の計時を開始（Ｓｔａｒｔ）あるいは再開始（Ｒｅｓｔａｒｔ）してもよい。また、端末装置２の無線リソース層処理部は、既定回数（Ｎ３１１回）連続して同期中を受け取った場合にタイマー（Ｔ３１０）の計時を停止（Ｓｔｏｐ）してもよい。そして、端末装置２の無線リソース制御層処理部は、タイマー（Ｔ３１０）の計時が停止することなく満了（Ｅｘｐｉｒｅ）した場合に、アイドル状態への遷移あるいはＲＲＣ接続の再確立手順を実施するようにしてもよい。例えば、ＡＳ  Ｓｅｃｕｒｉｔｙの確立状態に応じて端末装置２の動作が異なってもよい。まず、ＡＳ  Ｓｅｃｕｒｉｔｙが未確立の場合、端末装置２はＲＲＣ  ＩＤＬＥ状態に遷移し、ＡＳ  Ｓｅｃｕｒｉｔｙが確立済みの場合、端末装置２は、ＲＲＣ接続の再確立（ＲＲＣ  Ｃｏｎｎｅｃｔｉｏｎ  Ｒｅ?ｅｓｔａｂ
ｌｉｓｈｍｅｎｔ）手順を実行する。
【０１１６】
また、プライマリセカンダリセルにおいて、端末装置２の無線リソース制御層処理部は、物理層処理部から通知される同期外れを既定回数（Ｎ３１３回）連続して受け取った場合にタイマー（Ｔ３１３）の計時を開始（Ｓｔａｒｔ）あるいは再開始（Ｒｅｓｔａｒｔ）してもよい。また、端末装置２の無線リソース層処理部は、既定回数（Ｎ３１４回）連続して同期中を受け取った場合にタイマー（Ｔ３１３）の計時を停止（Ｓｔｏｐ）してもよい。そして、端末装置２の無線リソース制御層処理部は、タイマー（Ｔ３１３）の計時が停止することなく満了（Ｅｘｐｉｒｅ）した場合に、ＳＣＧ障害をネットワークに通知するためのＳＣＧ障害情報手順（ＳＣＧ  ｆａｉｌｕｒｅ  ｉｎｆｏｒｍａｔｉｏｎ  ｐｒｏｃｅｄｕｒｅ）を実行する。
【０１１７】
また、端末装置２の無線リソース制御層処理部は、プライマリセルにおいてＤ−ＢＷＰが再設定されるときに、タイマー（Ｔ３１０）の計時を停止（Ｓｔｏｐ）してもよい。また、端末装置２の無線リソース制御層処理部は、プライマリセカンダリセルにおいてＤ−ＢＷＰが再設定されるときに、タイマー（Ｔ３１３）の計時を停止（Ｓｔｏｐ）してもよい。
【０１１８】
上記は端末装置２にＤＲＸが設定されていない場合の例であるが、端末装置２にＤＲＸが設定されている場合、端末装置２の無線リソース制御層処理部は、無線リンク品質を測定する期間や上位レイヤへの通知間隔をＤＲＸが設定されていない場合と異なる値をとる
ように物理層処理部に対して設定してもよい。なお、ＤＲＸが設定されている場合であっても、上記タイマー（Ｔ３１０、Ｔ３１３）の計時が行われているときには、同期中を推定するための無線リンク品質を測定する期間や上位レイヤへの通知間隔を、ＤＲＸが設定されていない場合の値としてもよい。
【０１１９】
また、ＲＬＭ−ＲＳは明示的にあるいは暗示的にネットワークから設定されない場合には未定義であってもよい。すなわち、端末装置２は、ネットワーク（例えば基地局装置３）からＲＬＭ−ＲＳの設定がなされない場合には無線リンク監視をしなくてもよい。
【０１２０】
ＲＬＭ−ＲＳは、無線リンク監視で用いられる参照信号であり、複数のＲＬＭ−ＲＳが端末装置２に設定されてよい。１つのＲＬＭ−ＲＳのリソースは、１つのＳＳブロックまたは１つのＣＳＩ−ＲＳのリソース（またはポート）であってよい。ＣＳＩ−ＲＳベースの無線リンク監視を行う場合には、ＲＬＭ−ＲＳのリソースは端末装置２毎に設定されたリソースが用いられてよい。端末装置２毎に設定されたＲＬＭ−ＲＳのリソースはさらにＢＷＰ毎に設定されるかもしれない。ＳＳブロックベースの無線リンク監視を行う場合には、ＳＳブロックはサービングセル毎に設定されてもよいし、ＢＷＰごとに設定されてもよいし、端末装置２ごとに設定されてもよい。ＳＳブロックベースの無線リンク監視を行う場合には、端末装置２は、ＳＳブロックに含まれるＰＳＳおよび／またはＳＳＳおよび／またはＳＳブロックの復調のための復調参照信号（ＤＭＲＳ）、および／またはＰＢＣＨを用いて無線リンク監視を行なってもよい。ＣＳＩ−ＲＳベースの無線リンク監視を行うか、ＳＳブロック（ＳＳ／ＰＢＣＨブロックともいう。）ベースの無線リンク監視を行うか、は、端末装置２が基地局装置３から受信する情報によって、端末装置２に設定される 。
【０１２１】
また、ＲＬＭ−ＲＳの設定にＲＬＭ−ＲＳの周波数位置を指定するパラメータが含まれてよい。周波数位置を指定するパラメータとして、ＡＲＦＣＮが用いられてもよいし、サービングセルの特定のサブキャリアからのオフセットが用いられてもよい。また、オフセットの単位はサブキャリア単位であってもよいし、リソースブロック単位でもよい。また、ＡＲＦＣＮとオフセットの両方が設定されるかもしれない。
【０１２２】
また、ＲＬＭ−ＲＳの測定を行うタイミングを指定するパラメータとして、ＲＬＭ−ＲＳ測定タイミング設定（ＲＭＴＣ：ＲＬＭ−ＲＳ  ｂａｓｅｄ  Ｍｅａｓｕｒｅｍｅｎｔ
Ｔｉｍｉｎｇ  Ｃｏｎｆｉｇｕｒａｔｉｏｎ）が端末装置２に設定されてもよい。ＲＭＴＣはＲＬＭ−ＲＳ毎あるいはＲＬＭ−ＲＳのグループ毎に独立して設定されてもよい。端末装置２は、ネットワーク（例えば基地局装置３）からＲＭＴＣの設定がなされない場合には無線リンク監視をしないかもしれない。
【０１２３】
測定（ｍｅａｓｕｒｅｍｅｎｔ）について説明する。
【０１２４】
ＮＲの測定（ｍｅａｓｕｒｅｍｅｎｔ）は、ＬＴＥと同等の測定設定および測定報告の仕組みが用いられてもよい。例えば、ＮＲの測定設定（Ｍｅａｓｕｒｅｍｅｎｔ  ｃｏｎｆｉｇｕｒａｔｉｏｎ）情報要素に、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれてよい。
【０１２５】
また、測定対象には測定対象ＮＲが含まれ、測定対象ＮＲ（ｍｅａｓＯｂｊｅｃｔＮＲ）には、ＮＲ搬送波周波数情報（ｎｒ−ＣａｒｒｉｅｒＩｎｆｏ）、測定に用いられる参照信号の設定、オフセット周波数（ｏｆｆｓｅｔＦｒｅｑ）、ホワイトセルリスト（ｗｈ
ｉｔｅ  ｃｅｌｌ  ｌｉｓｔ）に関する情報、ブラックセルリスト（ｂｌａｃｋ  ｃｅｌｌ  ｌｉｓｔ）に関する情報、ギャップの設定に関する情報、の一部あるいは全部が含まれてよい。
【０１２６】
また、報告設定には報告設定ＮＲが含まれ、報告設定ＮＲ（ｒｅｐｏｒｔＣｏｎｆｉｇＮＲ）にはイベントトリガ報告に関する情報が含まれてよい。イベントトリガ条件として、ＬＴＥのイベントＡ１からＡ６と同等のイベントが含まれてよい。
【０１２７】
以下にＮＲの測定（ｍｅａｓｕｒｅｍｅｎｔ）の一例を示す。なお、メッセージに含まれる情報および／またはメッセージの構造は一例であり、これに限定されるものではない。
【０１２８】
基地局装置３は、端末装置２に対して、ＲＲＣシグナリング（無線リソース制御信号）であるＲＲＣ再設定（ＲＲＣＲｅｃｏｎｆｉｇｕｒａｔｉｏｎ）メッセージを使って、測定設定（Ｍｅａｓｕｒｅｍｅｎｔ  ｃｏｎｆｉｇｕｒａｔｉｏｎ）情報要素を送信する。端末装置２は、基地局装置３から、ＲＲＣシグナリング（無線リソース制御信号）であるＲＲＣ再設定（ＲＲＣＲｅｃｏｎｆｉｇｕｒａｔｉｏｎ）メッセージを使って、測定設定（Ｍｅａｓｕｒｅｍｅｎｔ  ｃｏｎｆｉｇｕｒａｔｉｏｎ）情報要素を受信する。端末装置２は、測定設定（Ｍｅａｓｕｒｅｍｅｎｔ  ｃｏｎｆｉｇｕｒａｔｉｏｎ）情報要素に含まれるシステム情報を設定するとともに、通知されたシステム情報に従って、サービングセルおよび隣接セル（リストセル（ｌｉｓｔｅｄ  ｃｅｌｌ）および／または検出セル（ｄｅｔｅｃｔｅｄ  ｃｅｌｌ）を含む）に対する測定、イベント評価、測定報告を行う。リストセルは、測定対象（Ｍｅａｓｕｒｅｍｅｎｔ  ｏｂｊｅｃｔ）にリストされているセル（基地局装置３から端末装置２へ隣接セルリストとして通知されているセル）であり、検出セルは、測定対象（Ｍｅａｓｕｒｅｍｅｎｔ  ｏｂｊｅｃｔ）によって指示された周波数において端末装置２が検出したが、測定対象（Ｍｅａｓｕｒｅｍｅｎｔ  ｏｂｊｅｃｔ）にはリストされていないセル（隣接セルリストとして通知されていない端末装置２自身が検出したセル）である。
【０１２９】
測定（ｍｅａｓｕｒｅｍｅｎｔ）には、３つのタイプ（周波数内測定（ｉｎｔｒａ−ｆｒｅｑｕｅｎｃｙ  ｍｅａｓｕｒｅｍｅｎｔｓ）、周波数間測定（ｉｎｔｅｒ−ｆｒｅｑｕｅｎｃｙ  ｍｅａｓｕｒｅｍｅｎｔｓ）、無線アクセス技術間測定（ｉｎｔｅｒ−ＲＡＴ  ｍｅａｓｕｒｅｍｅｎｔｓ））がある。周波数内測定（ｉｎｔｒａ−ｆｒｅｑｕｅｎｃｙ  ｍｅａｓｕｒｅｍｅｎｔｓ）は、サービングセルの下りリンク周波数（下りリンク周波数）での測定である。周波数間測定（ｉｎｔｅｒ−ｆｒｅｑｕｅｎｃｙ  ｍｅａｓｕｒｅｍｅｎｔｓ）は、サービングセルの下りリンク周波数とは異なる周波数での測定である。無線アクセス技術間測定（ｉｎｔｅｒ−ＲＡＴ  ｍｅａｓｕｒｅｍｅｎｔｓ）は、サービングセルの無線技術（例えばＮＲ）とは異なる無線技術（例えばＥＵＴＲＡ、ＵＴＲＡ、ＧＥＲＡＮ，ＣＤＭＡ２０００など）での測定である。なお、ＢＷＰが設定されている場合、Ａ−ＢＷＰと異なる周波数での同一サービングセル内の測定は、周波数間測定とみなされてもよい。別の例として、ＢＷＰが設定されている場合、Ｉ−ＢＷＰと異なる周波数での同一サービングセル内の測定は、周波数間測定とみなされてもよい。別の例として、ＢＷＰが設定されている場合、Ｄ−ＢＷＰと異なる周波数での同一サービングセル内の測定は、周波数間測定とみなされてもよい。
【０１３０】
測定設定（Ｍｅａｓｕｒｅｍｅｎｔ  ｃｏｎｆｉｇｕｒａｔｉｏｎ）メッセージには、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒ
ｅ）などが含まれる。
【０１３１】
＜数量設定（ｑｕａｎｔｉｔｙＣｏｎｆｉｇ）＞
数量設定（ｑｕａｎｔｉｔｙＣｏｎｆｉｇ）は、測定対象（Ｍｅａｓｕｒｅｍｅｎｔ  ｏｂｊｅｃｔｓ）がＮＲまたはＥＵＴＲＡの場合、第３層フィルタ係数（Ｌ３  ｆｉｌｔｅｒｉｎｇ  ｃｏｅｆｆｉｃｉｅｎｔ）を指定してもよい。第３層フィルタ係数（Ｌ３  ｆｉｌｔｅｒｉｎｇ  ｃｏｅｆｆｉｃｉｅｎｔ）は、最新の測定結果と、過去のフィルタリング測定結果との比（割合）を規定する。フィルタリング結果は、端末装置２でイベント評価に利用される。
【０１３２】
＜測定ギャップ設定（ｍｅａｓＧａｐＣｏｎｆｉｇ）＞
測定ギャップ設定（ｍｅａｓＧａｐＣｏｎｆｉｇ）は、測定ギャップパターン（ｍｅａｓｕｒｅｍｅｎｔ  ｇａｐ  ｐａｔｔｅｒｎ）の設定や、測定ギャップ（ｍｅａｓｕｒｅｍｅｎｔ  ｇａｐ）の活性化（ａｃｔｉｖａｔｉｏｎ）／非活性化（ｄｅａｃｔｉｖａｔｉｏｎ）を制御するために利用される。測定ギャップ設定（ｍｅａｓＧａｐＣｏｎｆｉｇ）では、測定ギャップを活性化させる場合の情報として、ギャップパターン（ｇａｐ  ｐａｔｔｅｒｎ）、開始システムフレ−ム番号（ｓｔａｒｔＳＦＮ）、開始サブフレ−ム番号（ｓｔａｒｔＳｕｂｆｒａｍｅＮｕｍｂｅｒ）が通知される。ギャップパターン（ｇａｐ  ｐａｔｔｅｒｎ）は、測定ギャップ（ｍｅａｓｕｒｅｍｅｎｔ  ｇａｐ）として、どのパターンを使うかを規定する。開始システムフレ−ム番号（ｓｔａｒｔＳＦＮ）は、測定ギャップ（ｍｅａｓｕｒｅｍｅｎｔ  ｇａｐ）を開始するＳＦＮ（Ｓｙｓｔｅｍ  Ｆｒａｍｅ  Ｎｕｍｂｅｒ）を規定する。開始サブフレ−ム番号（ｓｔａｒｔＳｕｂｆｒａｍｅＮｕｍｂｅｒ）は、測定ギャップ（ｍｅａｓｕｒｅｍｅｎｔ  ｇａｐ）を開始するサブフレ−ム番号を規定する。また、測定ギャップ設定はセル毎あるいはセルグループ毎あるいはＢＷＰ毎あるいはＲＬＭ−ＲＳ毎に独立して設定されてもよい。測定ギャップ設定は、ＭｅａｓＣｏｎｆｉｇに含まれてもよいし、ＭｅａｓＯｂｊｅｃｔに含まれてもよいし、他の情報要素に含まれてもよい。
【０１３３】
＜サービングセル品質閾値（ｓ−Ｍｅａｓｕｒｅ）＞
サービングセル品質閾値（ｓ−Ｍｅａｓｕｒｅ）は、サービングセルの品質に関する閾値を表し、端末装置２が測定（ｍｅａｓｕｒｅｍｅｎｔ）を行う必要があるか否かを制御するために利用される。サービングセル品質閾値（ｓ−Ｍｅａｓｕｒｅ）は、参照信号受信電力（ＲＳＲＰ）に対する値として設定される。
【０１３４】
＜測定識別子（ｍｅａｓＩｄ）＞
ここで、測定識別子（ｍｅａｓＩｄ）は、測定対象（Ｍｅａｓｕｒｅｍｅｎｔ  ｏｂｊｅｃｔｓ）と、報告設定（Ｒｅｐｏｒｔｉｎｇ  ｃｏｎｆｉｇｕｒａｔｉｏｎｓ）とをリンクさせるために利用され、具体的には、測定対象識別子（ｍｅａｓＯｂｊｅｃｔＩｄ）と報告設定識別子（ｒｅｐｏｒｔＣｏｎｆｉｇＩｄ）とをリンクさせる。測定識別子（ｍｅａｓＩｄ）には、一つの測定対象識別子（ｍｅａｓＯｂｊｅｃｔＩｄ）と一つの報告設定識別子（ｒｅｐｏｒｔＣｏｎｆｉｇＩｄ）が対応付けられる。測定設定（Ｍｅａｓｕｒｅｍｅｎｔ  ｃｏｎｆｉｇｕｒａｔｉｏｎ）メッセージは、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の関係に対して追加・修正・削除することが可能である。
【０１３５】
ｍｅａｓＯｂｊｅｃｔＴｏＲｅｍｏｖｅＬｉｓｔは、指定された測定対象識別子（ｍｅａｓＯｂｊｅｃｔＩｄ）および指定された測定対象識別子（ｍｅａｓＯｂｊｅｃｔＩｄ）に対応する測定対象（Ｍｅａｓｕｒｅｍｅｎｔ  ｏｂｊｅｃｔｓ）を削除するコマンドである。この際、指定された測定対象識別子（ｍｅａｓＯｂｊｅｃｔＩｄ）に対応付けられ
たすべての測定識別子（ｍｅａｓＩｄ）は、削除される。このコマンドは、同時に複数の測定対象識別子（ｍｅａｓＯｂｊｅｃｔＩｄ）の指定が可能である。
【０１３６】
ｍｅａｓＯｂｊｅｃｔＴｏＡｄｄＭｏｄｉｆｙＬｉｓｔは、指定された測定対象識別子（ｍｅａｓＯｂｊｅｃｔＩｄ）を指定された測定対象（Ｍｅａｓｕｒｅｍｅｎｔ  ｏｂｊｅｃｔｓ）に修正、または、指定された測定対象識別子（ｍｅａｓＯｂｊｅｃｔＩｄ）と指定された測定対象（Ｍｅａｓｕｒｅｍｅｎｔ  ｏｂｊｅｃｔｓ）を追加するコマンドである。このコマンドは、同時に複数の測定対象識別子（ｍｅａｓＯｂｊｅｃｔＩｄ）の指定が可能である。
【０１３７】
ｒｅｐｏｒｔＣｏｎｆｉｇＴｏＲｅｍｏｖｅＬｉｓｔは、指定された報告設定識別子（ｒｅｐｏｒｔＣｏｎｆｉｇＩｄ）および指定された報告設定識別子（ｒｅｐｏｒｔＣｏｎｆｉｇＩｄ）に対応する報告設定（Ｒｅｐｏｒｔｉｎｇ  ｃｏｎｆｉｇｕｒａｔｉｏｎｓ）を削除するコマンドである。この際、指定された報告設定識別子（ｒｅｐｏｒｔＣｏｎｆｉｇＩｄ）に対応付けられたすべての測定識別子（ｍｅａｓＩｄ）は、削除される。このコマンドは、同時に複数の報告設定識別子（ｒｅｐｏｒｔＣｏｎｆｉｇＩｄ）の指定が可能である。
【０１３８】
ｒｅｐｏｒｔＣｏｎｆｉｇＴｏＡｄｄＭｏｄｉｆｙＬｉｓｔは、指定された報告設定識別子（ｒｅｐｏｒｔＣｏｎｆｉｇＩｄ）を指定された報告設定（Ｒｅｐｏｒｔｉｎｇ  ｃｏｎｆｉｇｕｒａｔｉｏｎｓ）に修正、または、指定された報告設定識別子（ｒｅｐｏｒｔＣｏｎｆｉｇＩｄ）と指定された報告設定（Ｒｅｐｏｒｔｉｎｇ  ｃｏｎｆｉｇｕｒａｔｉｏｎｓ）を追加するコマンドである。このコマンドは、同時に複数の報告設定識別子（ｒｅｐｏｒｔＣｏｎｆｉｇＩｄ）の指定が可能である。
【０１３９】
ｍｅａｓＩｄＴｏＲｅｍｏｖｅＬｉｓｔは、指定された測定識別子（ｍｅａｓＩｄ）を削除するコマンドである。この際、指定された測定識別子（ｍｅａｓＩｄ）に対応付けられた測定対象識別子（ｍｅａｓＯｂｊｅｃｔＩｄ）と報告設定識別子（ｒｅｐｏｒｔＣｏｎｆｉｇＩｄ）は、削除されずに維持される。このコマンドは、同時に複数の測定識別子（ｍｅａｓＩｄ）の指定が可能である。
【０１４０】
ｍｅａｓＩｄＴｏＡｄｄＭｏｄｉｆｙＬｉｓｔは、指定された測定識別子（ｍｅａｓＩｄ）を指定された測定対象識別子（ｍｅａｓＯｂｊｅｃｔＩｄ）と指定された報告設定識別子（ｒｅｐｏｒｔＣｏｎｆｉｇＩｄ）に対応付けるように修正、または、指定された測定対象識別子（ｍｅａｓＯｂｊｅｃｔＩｄ）と指定された報告設定識別子（ｒｅｐｏｒｔＣｏｎｆｉｇＩｄ）を指定された測定識別子（ｍｅａｓＩｄ）に対応付けし、指定された測定識別子（ｍｅａｓＩｄ）を追加するコマンドである。このコマンドは、同時に複数の測定識別子（ｍｅａｓＩｄ）の指定が可能である。
【０１４１】
＜測定対象（Ｍｅａｓｕｒｅｍｅｎｔ  ｏｂｊｅｃｔｓ）＞
測定対象（Ｍｅａｓｕｒｅｍｅｎｔ  ｏｂｊｅｃｔｓ）は、ＲＡＴおよび周波数ごとに規定されている。また、報告設定（Ｒｅｐｏｒｔｉｎｇ  ｃｏｎｆｉｇｕｒａｔｉｏｎｓ）は、ＮＲに対する規定と、ＮＲ以外のＲＡＴに対する規定がある。
【０１４２】
測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象ＮＲ（ｍｅａｓＯｂｊｅｃｔＮＲ）、測定対象ＥＵＴＲＡ（ｍｅａｓＯｂｊｅｃｔＥＵＴＲＡ）、測定対象ＵＴＲＡ（ｍｅａｓＯｂｊｅｃｔＵＴＲＡ）、測定対象ＧＥＲＡＮ（ｍｅａｓＯｂｊｅｃｔＧＥＲＡＮ）、測定対象ＣＤＭＡ２０００（ｍｅａｓＯｂｊｅｃｔＣＤＭＡ２０００）、測定対象ＷＬＡＮ（ｍｅａｓＯｂｊｅｃｔＷＬＡＮ）などが含まれてよい。
【０１４３】
測定対象識別子（ｍｅａｓＯｂｊｅｃｔＩｄ）は、測定対象（Ｍｅａｓｕｒｅｍｅｎｔ
ｏｂｊｅｃｔｓ）の設定を識別するために使用する識別子である。測定対象（Ｍｅａｓｕｒｅｍｅｎｔ  ｏｂｊｅｃｔｓ）の設定は、前述のように、無線アクセス技術（ＲＡＴ）および周波数ごとに規定されている。測定対象（Ｍｅａｓｕｒｅｍｅｎｔ  ｏｂｊｅｃｔｓ）は、ＮＲ、ＥＵＴＲＡ、ＵＴＲＡ、ＧＥＲＡＮ、ＣＤＭＡ２０００に対して別途仕様化されている。ＮＲに対する測定対象（Ｍｅａｓｕｒｅｍｅｎｔ  ｏｂｊｅｃｔｓ）である測定対象ＮＲ（ｍｅａｓＯｂｊｅｃｔＮＲ）は、ＮＲの隣接セル（およびサービングセル内のＢＷＰ）に対して適用される情報を規定する。また、測定対象ＮＲ（ｍｅａｓＯｂｊｅｃｔＮＲ）のなかで異なる周波数のものは異なる測定対象（Ｍｅａｓｕｒｅｍｅｎｔ  ｏｂｊｅｃｔｓ）として扱われ、別途測定対象識別子（ｍｅａｓＯｂｊｅｃｔＩｄ）が割り当てられる。
【０１４４】
次に、測定対象ＮＲ（ｍｅａｓＯｂｊｅｃｔＮＲ）に含まれる情報ついて説明する。ＮＲ搬送波周波数情報（ｎｒ−ＣａｒｒｉｅｒＩｎｆｏ）は、測定対象とする搬送波周波数を指定する。オフセット周波数（ｏｆｆｓｅｔＦｒｅｑ）は、測定対象とする周波数において適用される測定オフセット値を示す。
【０１４５】
ブラックセルリスト（ｂｌａｃｋ  ｃｅｌｌ  ｌｉｓｔ）に関する情報は、イベント評価や、測定報告の対象とならない隣接セルに関する情報を含む。ブラックセルリスト（ｂｌａｃｋ  ｃｅｌｌ  ｌｉｓｔ）に関する情報としては、物理セル識別子（ｐｈｙｓｉｃａｌ  ｃｅｌｌ  ＩＤ）などが含まれる。この情報は、ＮＲの場合、端末装置２が、既に、報知情報から取得しているブラックセルとみなすセルのリスト（ｂｌａｃｋ  ｌｉｓｔｅｄ  ｃｅｌｌ  ｌｉｓｔ）に対して、追加・修正または削除を行うための情報として利用されてよい。
【０１４６】
また、測定設定メッセージには、測定に用いられるＰＣｅｌｌおよび／またはＳＣｅｌｌのＢＷＰに関する情報が含まれてもよい。ＢＷＰに関する情報には、（Ａ）サイクリックプレフィックスの種類、（Ｂ）サブキャリア間隔、（Ｃ）周波数位置（例えばサービングセルの、ある基準となるポイント（例えばサブキャリア）からＢＷＰまでの周波数オフセット（例えばサブキャリア単位および／またはＰＲＢ単位））、（Ｄ）ＢＷＰの帯域幅（例えばＰＲＢ数）、（Ｅ）制御信号のリソース設定情報、（Ｆ）各ＢＷＰを識別するための情報（例えば識別子）、の一部あるいは全部が含まれてもよい。また、ＢＷＰに関する情報は、ＳＳブロックおよび／またはＣＳＩ−ＲＳのリソースに関する情報であってもよい。ＢＷＰに関する情報は測定設定メッセージ以外のメッセージ（例えばＲＲＣ再設定メッセージ）で通知されてもよい。
【０１４７】
＜報告設定（Ｒｅｐｏｒｔｉｎｇ  ｃｏｎｆｉｇｕｒａｔｉｏｎｓ）＞
報告設定（Ｒｅｐｏｒｔｉｎｇ  ｃｏｎｆｉｇｕｒａｔｉｏｎｓ）には、報告設定識別子（ｒｅｐｏｒｔＣｏｎｆｉｇＩｄ）と対応付けられた報告設定ＮＲ（ｒｅｐｏｒｔＣｏｎｆｉｇＮＲ）などが含まれる。
【０１４８】
報告設定識別子（ｒｅｐｏｒｔＣｏｎｆｉｇＩｄ）は、測定に関する報告設定（Ｒｅｐｏｒｔｉｎｇ  ｃｏｎｆｉｇｕｒａｔｉｏｎｓ）を識別するために使用する識別子である。測定に関する報告設定（Ｒｅｐｏｒｔｉｎｇ  ｃｏｎｆｉｇｕｒａｔｉｏｎｓ）は、前述のように、ＮＲに対する規定と、ＮＲ以外のＲＡＴ（ＥＵＴＲＡ、ＵＴＲＡ、ＧＥＲＡＮ、ＣＤＭＡ２０００）に対する規定がある。ＮＲに対する報告設定（Ｒｅｐｏｒｔｉｎｇ  ｃｏｎｆｉｇｕｒａｔｉｏｎｓ）である報告設定ＮＲ（ｒｅｐｏｒｔＣｏｎｆｉｇＮＲ）は、ＮＲにおける測定の報告に利用するイベントのトリガ条件（ｔｒｉｇｇｅｒｉｎｇ  ｃｒｉｔｅｒｉａ）を規定する。
【０１４９】
また、報告設定ＮＲ（ｒｅｐｏｒｔＣｏｎｆｉｇＮＲ）には、イベント識別子（ｅｖｅｎｔＩｄ）、トリガ量（ｔｒｉｇｇｅｒＱｕａｎｔｉｔｙ）、ヒステリシス（ｈｙｓｔｅｒｅｓｉｓ）、トリガ時間（ｔｉｍｅＴｏＴｒｉｇｇｅｒ）、報告量（ｒｅｐｏｒｔＱｕａｎｔｉｔｙ）、最大報告セル数（ｍａｘＲｅｐｏｒｔＣｅｌｌｓ）、報告間隔（ｒｅｐｏｒｔＩｎｔｅｒｖａｌ）、報告回数（ｒｅｐｏｒｔＡｍｏｕｎｔ）の一部あるいは全部が含まれてよい。
【０１５０】
次に、報告設定ＮＲ（ｒｅｐｏｒｔＣｏｎｆｉｇＮＲ）について説明する。イベント識別子（ｅｖｅｎｔＩｄ）は、イベントトリガ報告（ｅｖｅｎｔ  ｔｒｉｇｇｅｒｅｄ  ｒｅｐｏｒｔｉｎｇ）に関する条件（ｃｒｉｔｅｒｉａ）を選択するために利用される。ここで、イベントトリガ報告（ｅｖｅｎｔ  ｔｒｉｇｇｅｒｅｄ  ｒｅｐｏｒｔｉｎｇ）とは、イベントトリガ条件を満たした場合に、測定を報告する方法である。この他に、イベントトリガ条件を満たした場合に、一定間隔で、ある回数だけ測定を報告するというイベントトリガ定期報告（ｅｖｅｎｔ  ｔｒｉｇｇｅｒｅｄ  ｐｅｒｉｏｄｉｃ  ｒｅｐｏｒｔｉｎｇ）もある。
【０１５１】
イベントトリガ条件としては、後述の６種類が少なくとも規定されてよい。イベント識別子（ｅｖｅｎｔＩｄ）によって指定されたイベントトリガ条件を満たした場合、端末装置２は、基地局装置３に対して、測定報告（ｍｅａｓｕｒｅｍｅｎｔ  ｒｅｐｏｒｔ）を行う。トリガ量（ｔｒｉｇｇｅｒＱｕａｎｔｉｔｙ）は、イベントトリガ条件を評価するために利用する量である。すなわち、参照信号受信電力（ＲＳＲＰ）、または、参照信号受信品質（ＲＳＲＱ）が指定される。すなわち、端末装置２は、このトリガ量（ｔｒｉｇｇｅｒＱｕａｎｔｉｔｙ）によって指定された量を利用して、下りリンクの同期信号の測定を行い、イベント識別子（ｅｖｅｎｔＩｄ）で指定されたイベントトリガ条件を満たしているか否かを判定する。ヒステリシス（ｈｙｓｔｅｒｅｓｉｓ）は、イベントトリガ条件で利用されるパラメータである。トリガ時間（ｔｉｍｅＴｏＴｒｉｇｇｅｒ）は、イベントトリガ条件を満たすべき期間を示す。報告量（ｒｅｐｏｒｔＱｕａｎｔｉｔｙ）は、測定報告（ｍｅａｓｕｒｅｍｅｎｔ  ｒｅｐｏｒｔ）において報告する量を示す。ここでは、トリガ量（ｔｒｉｇｇｅｒＱｕａｎｔｉｔｙ）で指定した量、または、参照信号受信電力（ＲＳＲＰ）または参照信号受信品質（ＲＳＲＱ）が指定される。ここで、参照信号受信品質（ＲＳＲＱ）は、（Ｎ＊ＲＳＲＰ）／（ＮＲ  Ｃａｒｒｉｅｒ  ＲＳＳＩ）で表される比である。受信信号強度（ＮＲ  Ｃａｒｒｉｅｒ  ＲＳＳＩ）は、全受信信号電力の強さを示し、測定帯域幅はシステム帯域幅と同じである。Ｎは受信信号強度（ＮＲ  Ｃａｒｒｉｅｒ  ＲＳＳＩ）の測定帯域幅に関するリソースブロック（ＲＢ：Ｒｅｓｏｕｒｃｅ  Ｂｌｏｃｋ）数である。最大報告セル数（ｍａｘＲｅｐｏｒｔＣｅｌｌｓ）は、測定報告（ｍｅａｓｕｒｅｍｅｎｔ  ｒｅｐｏｒｔ）に含めるセルの最大数を示す。報告間隔（ｒｅｐｏｒｔＩｎｔｅｒｖａｌ）は、定期報告（ｐｅｒｉｏｄｉｃａｌ  ｒｅｐｏｒｔｉｎｇ）またはイベントトリガ定期報告（ｅｖｅｎｔ  ｔｒｉｇｇｅｒｅｄ  ｐｅｒｉｏｄｉｃ  ｒｅｐｏｒｔｉｎｇ）に対して利用され、報告間隔（ｒｅｐｏｒｔＩｎｔｅｒｖａｌ）で示される間隔ごとに定期報告する。報告回数（ｒｅｐｏｒｔＡｍｏｕｎｔ）は、必要に応じて、定期報告（ｐｅｒｉｏｄｉｃａｌ  ｒｅｐｏｒｔｉｎｇ）を行う回数を規定する。
【０１５２】
尚、後述のイベントトリガ条件で利用する閾値パラメータやオフセットパラメータ（ａ１＿Ｔｈｒｅｓｈｏｌｄ、ａ２＿Ｔｈｒｅｓｈｏｌｄ、ａ３＿Ｏｆｆｓｅｔ、ａ４＿Ｔｈｒｅｓｈｏｌｄ、ａ５＿Ｔｈｒｅｓｈｏｌｄ１、ａ５＿Ｔｈｒｅｓｈｏｌｄ２、ａ６＿Ｏｆｆｓｅｔ）は、報告設定ＮＲ（ｒｅｐｏｒｔＣｏｎｆｉｇＮＲ）において、イベント識別子（ｅｖｅｎｔＩｄ）と一緒に、端末装置２へ通知される。
【０１５３】
＜イベントトリガ条件について＞
測定報告（ｍｅａｓｕｒｅｍｅｎｔ  ｒｅｐｏｒｔ）をするためのイベントトリガ条件が複数定義されており、それぞれ加入条件と離脱条件がある。すなわち、基地局装置３から指定されたイベントに対する加入条件を満たした端末装置２は、基地局装置３に対して測定報告（ｍｅａｓｕｒｅｍｅｎｔ  ｒｅｐｏｒｔ）を送信する。また、基地局装置３から指定されたイベントに対する離脱条件を満たした端末装置２は、基地局装置３から離脱条件を満たす場合に報告をトリガするように設定されていた場合（報告設定にｒｅｐｏｒｔＯｎＬｅａｖｅが含まれる場合）に、基地局装置３に対して測定報告（ｍｅａｓｕｒｅｍｅｎｔ  ｒｅｐｏｒｔ）を送信する。以下が、各イベントに対する加入条件と離脱条件である。
【０１５４】
＜イベント（Ｅｖｅｎｔ）Ａ１＞
イベント（Ｅｖｅｎｔ）Ａ１加入条件：Ｍｓ−Ｈｙｓ＞ａ１＿Ｔｈｒｅｓｈｏｌｄ
イベント（Ｅｖｅｎｔ）Ａ１離脱条件：Ｍｓ＋Ｈｙｓ＜ａ１＿Ｔｈｒｅｓｈｏｌｄ
＜イベント（Ｅｖｅｎｔ）Ａ２＞
イベント（Ｅｖｅｎｔ）Ａ２加入条件：Ｍｓ−Ｈｙｓ＜ａ２＿Ｔｈｒｅｓｈｏｌｄ
イベント（Ｅｖｅｎｔ）Ａ２離脱条件：Ｍｓ＋Ｈｙｓ＞ａ２＿Ｔｈｒｅｓｈｏｌｄ
＜イベント（Ｅｖｅｎｔ）Ａ３＞
イベント（Ｅｖｅｎｔ）Ａ３加入条件：Ｍｎ＋Ｏｆｎ＋Ｏｃｎ−Ｈｙｓ＞Ｍｓ＋Ｏｆｓ＋Ｏｃｓ＋ａ３＿Ｏｆｆｓｅｔ
イベント（Ｅｖｅｎｔ）Ａ３離脱条件：Ｍｎ＋Ｏｆｎ＋Ｏｃｎ＋Ｈｙｓ＜Ｍｓ＋Ｏｆｓ＋Ｏｃｓ＋ａ３＿Ｏｆｆｓｅｔ
＜イベント（Ｅｖｅｎｔ）Ａ４＞
イベント（Ｅｖｅｎｔ）Ａ４加入条件：Ｍｎ＋Ｏｆｎ＋Ｏｃｎ−Ｈｙｓ＞ａ４＿Ｔｈｒｅｓｈｏｌｄ
イベント（Ｅｖｅｎｔ）Ａ４離脱条件：Ｍｎ＋Ｏｆｎ＋Ｏｃｎ＋Ｈｙｓ＜ａ４＿Ｔｈｒｅｓｈｏｌｄ
＜イベント（Ｅｖｅｎｔ）Ａ５＞
イベント（Ｅｖｅｎｔ）Ａ５加入条件：Ｍｓ−Ｈｙｓ＜ａ５＿Ｔｈｒｅｓｈｏｌｄ１，Ｍｎ＋Ｏｆｎ＋Ｏｃｎ-Ｈｙｓ＞ａ５＿Ｔｈｒｅｓｈｏｌｄ２
イベント（Ｅｖｅｎｔ）Ａ５離脱条件：Ｍｓ＋Ｈｙｓ＞ａ５＿Ｔｈｒｅｓｈｏｌｄ１，Ｍｎ＋Ｏｆｎ＋Ｏｃｎ＋Ｈｙｓ＜ａ５＿Ｔｈｒｅｓｈｏｌｄ２
＜イベント（Ｅｖｅｎｔ）Ａ６＞
イベント（Ｅｖｅｎｔ）Ａ６加入条件：Ｍｎ＋Ｏｃｎ−Ｈｙｓ＞Ｍｓ＋Ｏｃｓ＋ａ６＿Ｏｆｆｓｅｔ
イベント（Ｅｖｅｎｔ）Ａ６離脱条件：Ｍｎ＋Ｏｃｎ＋Ｈｙｓ＜Ｍｓ＋Ｏｃｓ＋ａ６＿Ｏｆｆｓｅｔ
【０１５５】
ここで、Ｍｓとは、サービングセルに対する測定結果である（セル特有の測定オフセット値を考慮しない）。Ｍｎとは、隣接セル（ｎｅｉｇｈｂｏｕｒ  ｃｅｌｌ）に対する測定結果である。Ｈｙｓとは、対象とするイベントに対するヒステリシスパラメータである。
【０１５６】
Ｏｆｎとは、隣接セルの周波数に対する周波数特有の測定オフセット値である。Ｏｆｎは、測定対象ＮＲ（ｍｅａｓＯｂｊｅｃｔＮＲ）のオフセット周波数（ｏｆｆｓｅｔＦｒｅｑ）に相当する。周波数内測定（ｉｎｔｒａ−ｆｒｅｑｕｅｎｃｙ  ｍｅａｓｕｒｅｍｅｎｔｓ）の場合、Ｏｆｎは、Ｏｆｓと同じである。周波数間測定（ｉｎｔｅｒ−ｆｒｅｑｕｅｎｃｙ  ｍｅａｓｕｒｅｍｅｎｔｓ）の場合、Ｏｆｎは、サービングセルとは異なる下りリンク周波数に対応する測定対象ＮＲ（ｍｅａｓＯｂｊｅｃｔＮＲ）に含まれるオフセット周波数（ｏｆｆｓｅｔＦｒｅｑ）である。
【０１５７】
Ｏｃｎとは、隣接セルに対するセル特有の測定オフセット値である。Ｏｃｎは、測定対象ＮＲ（ｍｅａｓＯｂｊｅｃｔＮＲ）のセル固有オフセット（ｃｅｌｌＩｎｄｉｖｉｄｕａｌＯｆｆｓｅｔ）に相当する。Ｏｃｎが設定されていない場合は、測定オフセット値を０とする。周波数内測定（ｉｎｔｒａ−ｆｒｅｑｕｅｎｃｙ  ｍｅａｓｕｒｅｍｅｎｔｓ）の場合、Ｏｃｎは、サービングセルと同じ下りリンク周波数の測定対象ＮＲ（ｍｅａｓＯｂｊｅｃｔＮＲ）に含まれるセル固有オフセット（ｃｅｌｌＩｎｄｉｖｉｄｕａｌＯｆｆｓｅｔ）である。周波数間測定（ｉｎｔｅｒ−ｆｒｅｑｕｅｎｃｙ  ｍｅａｓｕｒｅｍｅｎｔｓ）の場合、Ｏｃｎは、サービングセルとは異なる下りリンク周波数に対応する測定対象ＥＵＴＲＡ（ｍｅａｓＯｂｊｅｃｔＥＵＴＲＡ）に含まれるセル固有オフセット（ｃｅｌｌＩｎｄｉｖｉｄｕａｌＯｆｆｓｅｔ）である。
【０１５８】
Ｏｆｓとは、サービングセルの周波数に対する周波数特有のオフセット値である。Ｏｆｓは、測定対象ＮＲ（ｍｅａｓＯｂｊｅｃｔＮＲ）のオフセット周波数（ｏｆｆｓｅｔＦｒｅｑ）に相当する。
【０１５９】
Ｏｃｓとは、サービングセルに対するセル特有の測定オフセット値である。Ｏｃｓは、サービングセルの周波数の測定対象ＮＲ（ｍｅａｓＯｂｊｅｃｔＮＲ）のセル固有オフセット（ｃｅｌｌＩｎｄｉｖｉｄｕａｌＯｆｆｓｅｔ）に含まれる。
【０１６０】
ａ１＿Ｔｈｒｅｓｈｏｌｄとは、イベントＡ１に対して利用される閾値パラメータである。ａ２＿Ｔｈｒｅｓｈｏｌｄとは、イベントＡ２に対して利用される閾値パラメータである。ａ３＿Ｏｆｆｓｅｔとは、イベントＡ３に対して利用されるオフセットパラメータである。ａ４＿Ｔｈｒｅｓｈｏｌｄとは、イベントＡ４に対して利用される閾値パラメータである。ａ５＿Ｔｈｒｅｓｈｏｌｄ１とａ５＿Ｔｈｒｅｓｈｏｌｄ２とは、イベントＡ５に対して利用される閾値パラメータである。ａ６＿Ｏｆｆｓｅｔとは、イベントＡ６に対して利用されるオフセットパラメータである。
【０１６１】
端末装置２はサービングセルの測定結果Ｍｓ及び隣接セルの測定結果Ｍｎにより各イベントを発生する。サービングセルの測定結果Ｍｓが、各パラメータの適用後、閾値ａ１＿Ｔｈｒｅｓｈｏｌｄよりよい場合、イベントＡ１が発生し、閾値ａ２＿Ｔｈｒｅｓｈｏｌｄより悪い場合、イベントＡ２が発生する。隣接セルの測定結果Ｍｎが、各パラメータの適用後、サービングセル測定結果Ｍｓ及びオフセットａ３＿Ｏｆｆｓｅｔより良い場合、イベントＡ３が発生し、隣接セルの測定結果Ｍｎが、各パラメータの適用後、閾値ａ４＿Ｔｈｒｅｓｈｏｌｄより良い場合、イベントＡ４が発生する。サービングセルの測定結果Ｍｓが、各パラメータの適用後、閾値ａ５＿Ｔｈｒｅｓｈｏｌｄ１より悪い且つ隣接セルの測定結果Ｍｎが、各パラメータの適用後、閾値ａ５＿Ｔｈｒｅｓｈｏｌｄ２より良い場合、イベントＡ５が発生する。
【０１６２】
また、ＮＲ以外のＲＡＴに対する報告設定（Ｒｅｐｏｒｔｉｎｇ  ｃｏｎｆｉｇｕｒａｔｉｏｎｓ）である報告設定ＩｎｔｅｒＲＡＴ（ｒｅｐｏｒｔＣｏｎｆｉｇＩｎｔｅｒＲＡＴ）には、ＮＲ以外のＲＡＴにおける測定の報告に利用するイベントのトリガ条件（ｔｒｉｇｇｅｒｉｎｇ  ｃｒｉｔｅｒｉａ）が定義されてよい。例えば、隣接セル（他のＲＡＴ）の測定結果が、各パラメータの適用後、ＲＡＴ毎に設定される閾値ｂ１＿Ｔｈｒｅｓｈｏｌｄより良い場合、イベントＢ１が発生されてよい。また、ＰＣｅｌｌの測定結果が、各パラメータの適用後、閾値ｂ２＿Ｔｈｒｅｓｈｏｌｄ１より悪い且つ隣接セル（他のＲＡＴ）の測定結果が、各パラメータの適用後、ＲＡＴ毎に設定される閾値ｂ２＿Ｔｈｒｅｓｈｏｌｄ２より良い場合、イベントＢ２が発生されてよい。また、イベントＢ２で用いられるＰＣｅｌｌの測定結果は、ＢＷＰが設定されている場合にはＤ−ＢＷＰに基づき導出された測定結果でもよいし、報告設定で指定されたＢＷＰに基づき導出された測定
結果でもよい。あるＢＷＰに基づき導出される測定結果とは、そのＢＷＰと対応付けられたＳＳブロック（例えばＳＳブロックに含まれるＰＳＳ，ＳＳＳ）および／またはＣＳＩ−ＲＳの受信電力に基づき導出されたものであってもよい。また、ＰＣｅｌｌおよびＳＣｅｌｌの測定結果は、各セルに対応付けられたＳＳブロックまたはＣＳＩ−ＲＳの受信電力に基づき導出されたものであってもよい。
【０１６３】
尚、基地局装置３は、サービングセル品質閾値（ｓ−Ｍｅａｓｕｒｅ）を通知する場合と通知しない場合がある。基地局装置３がサービングセル品質閾値（ｓ−Ｍｅａｓｕｒｅ）を通知する場合、端末装置２は、サービングセル（ｓｅｒｖｉｎｇ  ｃｅｌｌ）の品質（ＲＳＲＰ値）がサービングセル品質閾値（ｓ−Ｍｅａｓｕｒｅ）よりも低いときに、隣接セルの測定と、イベント評価（イベントトリガ条件を満たすか否か、報告条件（Ｒｅｐｏｒｔｉｎｇ  ｃｒｉｔｅｒｉａ）の評価とも言う）を行う。一方、基地局装置３がサービングセル品質閾値（ｓ−Ｍｅａｓｕｒｅ）を通知しない場合、端末装置２は、サービングセルの品質（ＲＳＲＰ値）によらず、隣接セルの測定と、イベント評価を行う。
【０１６４】
＜Ｍｅａｓｕｒｅｍｅｎｔ  Ｒｅｓｕｌｔについて＞
イベントトリガ条件を満たした端末装置２は、基地局装置３に対して、測定報告（Ｍｅａｓｕｒｅｍｅｎｔ  ｒｅｐｏｒｔ）を送信する。測定報告（Ｍｅａｓｕｒｅｍｅｎｔ  ｒｅｐｏｒｔ）には、測定結果（Ｍｅａｓｕｒｅｍｅｎｔ  ｒｅｓｕｌｔ）が含まれる。
【０１６５】
この測定結果（Ｍｅａｓｕｒｅｍｅｎｔ  ｒｅｓｕｌｔ）は、測定識別子（ｍｅａｓＩｄ）、サービングセル測定結果（ｍｅａｓＲｅｓｕｌｔＳｅｒｖｉｎｇ）、ＮＲ測定結果リスト（ｍｅａｓＲｅｓｕｌｔＬｉｓｔＮＲ）で構成される。ここで、ＮＲ測定結果リスト（ｍｅａｓＲｅｓｕｌｔＬｉｓｔＮＲ）には、物理セル識別子（ｐｈｙｓｉｃａｌＣｅｌｌＩｄｅｎｔｉｔｙ）、ＮＲセル測定結果（ｍｅａｓＲｅｓｕｌｔＮＲ）が含まれてよい。
【０１６６】
ここで、測定識別子（ｍｅａｓＩｄ）とは、前述のように、測定対象識別子（ｍｅａｓＯｂｊｅｃｔＩｄ）と報告設定識別子（ｒｅｐｏｒｔＣｏｎｆｉｇＩｄ）とのリンクに利用されていた識別子である。また、サービングセル測定結果（ｍｅａｓＲｅｓｕｌｔＳｅｒｖｉｎｇ）は、サービングセルに対する測定結果であり、サービングセルに対する参照信号受信電力（ＲＳＲＰ）および参照信号受信品質（ＲＳＲＱ）の両方の結果を報告してもよい。また、物理セル識別子（ｐｈｙｓｉｃａｌＣｅｌｌＩｄｅｎｔｉｔｙ）は、セルを識別するために利用する。ＮＲセル測定結果（ｍｅａｓＲｅｓｕｌｔＮＲ）は、ＮＲセルに対する測定結果である。隣接セルの測定結果は関連するイベントの発生時に含まれる。
【０１６７】
第１のセルを含むＭＣＧのセルがＮＲのセルであり、第２のセルを含むＳＣＧのセルがＮＲのセルである場合、ＭＣＧおよびＳＣＧは、ＮＲのＲＲＣメッセージで設定されるかもしれない。また、第１のセルを含むＭＣＧのセルがＬＴＥのセルであり、第２のセルを含むＳＣＧのセルがＮＲのセルである場合、ＭＣＧはＬＴＥのＲＲＣメッセージで設定され、ＳＣＧはＮＲのＲＲＣメッセージで設定されるかもしれない。ＭＣＧに関するパラメータおよびＳＣＧに関するパラメータは、ＭＣＧ  ＳＲＢを使って、ＮＲのＲＲＣメッセージで設定されるかもしれない。ＭＣＧに関するパラメータは、直接ＭＣＧ  ＳＲＢを使って送信されるかもしれない。ＳＣＧに関するパラメータは、直接ＳＣＧのＳＲＢ（ＳＣＧ  ＳＲＢ）を使って送信されるかもしれない。その場合、端末装置２は、ＳＣＧ  ＳＲＢを使って、ＳＣＧに関する報告設定を受信し、ＭＣＧ  ＳＲＢを使ってＭＣＧに関する報告設定を受信するかもしれない。
【０１６８】
ＳＣＧ−Ｃｏｎｆｉｇに関するＳＣＧの無線リソース設定を含むＲＲＣ再設定メッセー
ジを受信した端末装置２は、ＳＣＧ  ＳＲＢが設定されている場合、ＳＣＧ−Ｃｏｎｆｉｇに関するＳＣＧの無線リソース設定に対する応答を、ＳＣＧ  ＳＲＢで送ってもよい。より詳細には、ＳＣＧ  ＳＲＢが設定されていて、かつ、ＳＣＧ−Ｃｏｎｆｉｇに関する応答にＳＣＧ  ＳＲＢを使うように設定されている場合に、ＳＣＧ−Ｃｏｎｆｉｇに関するＳＣＧの無線リソース設定に対する応答を、ＳＣＧ  ＳＲＢで送るようにしてもよい。例えば、ＳＣＧ−Ｃｏｎｆｉｇに関するＳＣＧの無線リソース設定を含むＲＲＣ再設定メッセージを受信した端末装置２は、ＳＣＧ−Ｃｏｎｆｉｇ以外の新しい設定を適用し、適用に成功した場合、ＲＲＣ再設定完了メッセージをＭＣＧ  ＳＲＢを第１の基地局装置３に送る。ＳＣＧ−Ｃｏｎｆｉｇに関するＳＣＧの無線リソース設定を含むＲＲＣ再設定メッセージを受信した端末装置２は、ＳＣＧ−Ｃｏｎｆｉｇの新しい設定を適用し、適用に成功した場合、ＳＣＧ  ＲＲＣ再設定完了メッセージをＳＣＧ  ＳＲＢを第２の基地局装置３に送る。
【０１６９】
なお、上記説明の測定におけるサービングセル測定結果（ｍｅａｓＲｅｓｕｌｔＳｅｒｖｉｎｇ）を導出するためのサービングセルの品質と、無線リンク監視におけるサービングセルの無線リンク品質とは異なる品質として定義される。例えば、サービングセル測定結果（ｍｅａｓＲｅｓｕｌｔＳｅｒｖｉｎｇ）を導出するためのサービングセルの品質は、セル定義のＳＳブロックおよび／またはＣＳＩ−ＲＳに基づき導出される品質であり、無線リンク監視におけるサービングセルの無線リンク品質は、ＲＬＭ−ＲＳに基づき導出される品質である、としてもよい。なお、端末装置２に対して、セル定義のＳＳブロックおよび／またはＣＳＩ−ＲＳが、ＲＬＭ−ＲＳとして設定されてもよい。
【０１７０】
ＲＲＣ再設定メッセージの一例を、図８を用いて説明する。
【０１７１】
図８に示すように、ＲＲＣ再設定メッセージは（８Ａ）ｒｒｃ−ＴｒａｎｓａｃｔｉｏｎＩｄｅｎｔｉｆｉｅｒと、ｒｒｃＲｅｃｏｎｆｉｇｕｒａｔｉｏｎの一部あるいは全部を含んでよい。（８Ｂ）ｒｒｃＲｅｃｏｎｆｉｇｕｒａｔｉｏｎは、（８Ｃ）ｒａｄｉｏＢｅａｒｅｒＣｏｎｆｉｇ、（８Ｄ）ｍａｓｔｅｒＣｅｌｌＧｒｏｕｐＣｏｎｆｉｇ、（８Ｅ）ｓｅｃｏｎｄａｒｙＣｅｌｌＧｒｏｕｐＴｏＡｄｄＭｏｄＬｉｓｔ、（８Ｆ）ｓｅｃｏｎｄａｒｙＣｅｌｌＧｒｏｕｐＴｏＲｅｌｅａｓｅＬｉｓｔ、（８Ｇ）ｍｅａｓＣｏｎｆｉｇ、（８Ｈ）ｄｅｄｉｃａｔｅｄＮＡＳ−ＭｅｓｓａｇｅＬｉｓｔ、（８Ｉ）ｏｔｈｅｒＣｏｎｆｉｇ、（８Ｊ）ｆｕｌｌＣｏｎｆｉｇの一部あるいは全部を含んでよい。
【０１７２】
（８Ａ）ｒｒｃ−ＴｒａｎｓａｃｔｉｏｎＩｄｅｎｔｉｆｉｅｒは、ＲＲＣプロシージャ（トランザクション）の識別に用いられる要素（ＲＲＣトランザクション識別子とも呼ぶ）であり、例えば０から３の整数を値として持つ。（８Ｂ）ｒｒｃＲｅｃｏｎｆｉｇｕｒａｔｉｏｎは、ＲＲＣ再設定のための情報要素を示す。
【０１７３】
（８Ｃ）ｒａｄｉｏＢｅａｒｅｒＣｏｎｆｉｇは、シグナリングおよびデータの無線ベアラ（ＳＲＢ／ＤＲＢ）の追加、修正、解放のために用いられる情報要素（無線ベアラ設定とも呼ぶ）であり、無線ベアラに対するＰＤＣＰためのパラメータや、もしＳＤＡＰが適用される場合、ＳＤＡＰのためのパラメータを運んで（Ｃａｒｒｙして）もよい。
【０１７４】
（８Ｄ）ｍａｓｔｅｒＣｅｌｌＧｒｏｕｐＣｏｎｆｉｇは、ＭＣＧを設定するために用いられてよい（ＭＣＧ設定とも呼ぶ）。１つのセルグループは、１つのＭＡＣエンティティと、ＲＬＣエンティティと対応付けられた論理チャネルのセットとを含んでよい。また、１つのセルグループは、１つのプライマリセル（ＰＣｅｌｌ）と０個以上（または１個以上）のセカンダリセル（ＳＣｅｌｌ）とを含んでよい。（８Ｄ）ｍａｓｔｅｒＣｅｌｌＧｒｏｕｐＣｏｎｆｉｇには、ＣｅｌｌＧｒｏｕｐＣｏｎｆｉｇ（セルグループ設定とも呼ぶ）が含まれてよい。
【０１７５】
ＣｅｌｌＧｒｏｕｐＣｏｎｆｉｇには、セルグループを識別するための識別子、論理チャネルの追加、修正の設定、論理チャネルの解放の設定、セルグループのＭＡＣの設定、ＲＬＦ（Ｒａｄｉｏ  Ｌｉｎｋ  Ｆａｉｌｕｒｅ）の判断に用いられるタイマーや定数、プライマリセルの設定、セカンダリセルの追加、修正の設定、セカンダリセルの解放の設定、の一部あるいは全部が含まれてよい。
【０１７６】
プライマリセルの設定には、ｐＣｅｌｌＣｏｎｆｉｇＤｅｄｉｃａｔｅｄと、ターゲットセルへの同期再設定（例えばターゲットセルへのランダムアクセス手順を伴う再設定、ネットワーク制御によるモビリティ（ハンドオ−バ）など）の場合にはｓｙｎｃｈｒｏｎｏｕｓＲｅｃｏｎｆｉｇｕｒａｔｉｏｎ（シンクロナス再設定とも呼ぶ）が含まれてよい。ｐＣｅｌｌＣｏｎｆｉｇＤｅｄｉｃａｔｅｄ（ＰＣｅｌｌ設定-専用とも呼ぶ）はＳｅ
ｒｖｉｎｇＣｅｌｌＣｏｎｆｉｇＤｅｄｉｃａｔｅｄ（サービングセル設定-専用とも呼
ぶ）で構成されてよい。ｓｙｎｃｈｒｏｎｏｕｓＲｅｃｏｎｆｉｇｕｒａｔｉｏｎには、ｐＣｅｌｌＣｏｎｆｉｇＣｏｍｍｏｎ（ＰＣｅｌｌ設定-共通とも呼ぶ）と、端末装置２
の新しい識別子（例えばＣ−ＲＮＴＩ）を示すｎｅｗＵＥ−Ｉｄｅｎｔｉｔｙと、ハンドオーバの失敗を検出するために用いられるタイマーの値（ｔ３０４）と、ランダムアクセスに関する情報（ｒａｃｈ−ＣｏｎｆｉｇＤｅｄｉｃａｔｅｄ）、の一部あるいは全部が含まれてよい。ｐＣｅｌｌＣｏｎｆｉｇＣｏｍｍｏｎはＳｅｒｖｉｎｇＣｅｌｌＣｏｎｆｉｇＣｏｍｍｏｎで構成されてよい。ｔ３０４は、ハンドオ−バに関するタイマーの値を示し、例えば端末装置２は、タイマーで示される時間内にハンドオ−バが正常に完了しない場合に既定の処理を実行してもよい。ｒａｃｈ−ＣｏｎｆｉｇＤｅｄｉｃａｔｅｄは、端末装置２に対して割り当てられる個別のランダムアクセスパラメータを特定するために使われる情報を含む。例えば、ランダムアクセスプリアンブルのフォーマットや時間／周波数リソースを明示的に示す情報、および／またはプリアンブルの送信に用いられるヌメロロジーの情報、の一部または全部を含んでよい。
【０１７７】
セカンダリセルの追加、修正の設定には、各セカンダリセルの設定（ＳＣｅｌｌＣｏｎｆｉｇ）が含まれる。ＳＣｅｌｌＣｏｎｆｉｇには、セカンダリセルの識別子情報、ｓＣｅｌｌＣｏｎｆｉｇＣｏｍｍｏｎ、ｓＣｅｌｌＣｏｎｆｉｇＤｅｄｉｃａｔｅｄが含まれてよい。ｓＣｅｌｌＣｏｎｆｉｇＣｏｍｍｏｎはＳｅｒｖｉｎｇＣｅｌｌＣｏｎｆｉｇＣｏｍｍｏｎで構成されてよい。ｓＣｅｌｌＣｏｎｆｉｇＤｅｄｉｃａｔｅｄはＳｅｒｖｉｎｇＣｅｌｌＣｏｎｆｉｇＤｅｄｉｃａｔｅｄで構成されてよい。
【０１７８】
ＳｅｒｖｉｎｇＣｅｌｌＣｏｎｆｉｇＣｏｍｍｏｎは、端末装置２のサービングセルのセル固有パラメータを設定するために用いられる。この情報要素は、端末装置２がアイドル状態からセルにアクセスするときに報知情報（システム情報）から標準的に取得するパラメータを含んでよい。ＳｅｒｖｉｎｇＣｅｌｌＣｏｎｆｉｇＣｏｍｍｏｎには、サービングセルの物理セル識別子、下りリンクのキャリア周波数に関する情報、下りリンクのＢＷＰの周波数に関する情報、上りリンクの周波数情報、サブキャリア間隔に関する情報、ＳＳブロックの位置に関する情報、ＤＭＲＳの位置に関する情報、ランダムアクセスに関する情報、の一部あるいは全部が含まれてよい。
ＳｅｒｖｉｎｇＣｅｌｌＣｏｎｆｉｇＤｅｄｉｃａｔｅｄは、端末装置２のサービングセルの端末装置固有パラメータを設定するために用いられる。ＳｅｒｖｉｎｇＣｅｌｌＣｏｎｆｉｇＤｅｄｉｃａｔｅｄには、１つまたは複数のＢＷＰに関する情報、ＰＤＣＣＨの設定情報、ＰＤＳＣＨの設定情報、ＰＵＣＣＨの設定情報、ＰＵＳＣＨの設定情報、の一部あるいは全部が含まれてよい。ＢＷＰに関する情報には、下りリンクのＢＷＰに関する情報および／または上りリンクのＢＷＰに関する情報が含まれてよい。各ＢＷＰに関する情報には、ＢＷＰの位置を示す情報、ＢＷＰの帯域幅を示す情報、サブキャリア間隔を示す情報、サイクリックプレフィックスの長さを示す情報、の一部あるいは全部が含まれて
よい。
【０１７９】
（８Ｅ）ｓｅｃｏｎｄａｒｙＣｅｌｌＧｒｏｕｐＴｏＡｄｄＭｏｄＬｉｓｔは、１つ、または複数のＳＣＧを設定するために用いられてよい。（８Ｅ）ｓｅｃｏｎｄａｒｙＣｅｌｌＧｒｏｕｐＴｏＡｄｄＭｏｄＬｉｓｔには、１つ、または複数のそれぞれのＳＣＧに対する、前述のＣｅｌｌＧｒｏｕｐＣｏｎｆｉｇが含まれてよい。（８Ｆ）ｓｅｃｏｎｄａｒｙＣｅｌｌＧｒｏｕｐＴｏＲｅｌｅａｓｅＬｉｓｔは、１つまたは複数のＳＣＧを解放するために用いられてよい。
【０１８０】
（８Ｇ）ｍｅａｓＣｏｎｆｉｇは、端末装置２によって実行される（Ｐｅｒｆｏｒｍｅｄ）測定を設定するための情報であり、測定のためのギャップの設定を含んでよい。
【０１８１】
（８Ｈ）ｄｅｄｉｃａｔｅｄＮＡＳ−ＭｅｓｓａｇｅＬｉｓｔは、ネットワークと端末装置２との間でやり取りされる端末装置２固有のＮＡＳ層の情報のリストであり、ＤＲＢ毎のＮＡＳ層の情報を含み、ＲＲＣ層は透過的にこの情報を上位レイヤ（ＮＡＳ層）に転送する。
【０１８２】
（８Ｉ）ｏｔｈｅｒＣｏｎｆｉｇは、その他の設定の一部あるいは全部が含まれる。（８Ｊ）ｆｕｌｌＣｏｎｆｉｇがＲＲＣ再設定メッセージに含まれる場合に、特定の要素に含まれる設定を適用するようにしてよい。
【０１８３】
ＲＲＣ再設定メッセージを受信した端末装置２は、ＲＲＣ再設定が成功して完了したことを通知するために、基地局装置３にＲＲＣ再設定完了メッセージ（ＲＲＣＲｅｃｏｎｆｉｇｕｒａｔｉｏｎＣｏｍｐｌｅｔｅメッセージ）を送信する。ＲＲＣＲｅｃｏｎｆｉｇｕｒａｔｉｏｎＣｏｍｐｌｅｔｅメッセージには、ＬＴＥと同様に、キャリアアグリゲーションのために１つまたは複数のＳＣｅｌｌがＲＲＣＲｅｃｏｎｆｉｇｕｒａｔｉｏｎで設定された場合に、端末装置２がコンポーネントキャリア（サービングセル）毎の測定ギャップのプリファレンス（ギャップが必要か否か）を示す情報（ｐｅｒＣＣ−ＧａｐＩｎｄｉｃａｔｉｏｎＬｉｓｔ）が含まれてもよい。また、ｐｅｒＣＣ−ＧａｐＩｎｄｉｃａｔｉｏｎＬｉｓｔは、ＲＲＣＲｅｃｏｎｆｉｇｕｒａｔｉｏｎメッセージにｐｅｒＣＣ−ＧａｐＩｎｄｉｃａｔｉｏｎを要求する情報（ｐｅｒＣＣ−ＧａｐＩｎｄｉｃａｔｉｏｎＲｅｑｕｅｓｔ）が含まれている場合に送信されるようにしてもよい。この場合の測定ギャップは、タイプ１ギャップと呼ぶ。タイプ１ギャップは、周波数間測定、および／またはＲＡＴ間測定のために用いられてもよい。
【０１８４】
ＲＲＣ再設定メッセージを受信した端末装置２は、ＲＲＣ再設定が成功して完了したことを通知するために、基地局装置３にＲＲＣ再設定完了メッセージ（ＲＲＣＲｅｃｏｎｆｉｇｕｒａｔｉｏｎＣｏｍｐｌｅｔｅメッセージ）を送信する。ＲＲＣＲｅｃｏｎｆｉｇｕｒａｔｉｏｎＣｏｍｐｌｅｔｅメッセージには、１つまたは複数のＢＷＰがＲＲＣＲｅｃｏｎｆｉｇｕｒａｔｉｏｎで設定された場合に、端末装置２がサービングセルのセル定義のＳＳブロックを用いたサービングセルの測定（例えばサービングセルのシステム情報や、ＲＲＣ再設定メッセージに含まれるＳＭＴＣ（ＳＳＢ−ＭｅａｓｕｒｅｍｅｎｔＴｉｍｉｎｇＣｏｎｆｉｇｕｒａｔｉｏｎ）によって設定される時間区間におけるセル定義のＳＳブロックを用いたサービングセルの測定）のためのギャップのプリファレンス（ギャップが必要か否か）を示す情報（ｂｗｐ−ＧａｐＩｎｄｉｃａｔｉｏｎＬｉｓｔ）が含まれてもよい。この場合のギャップは、タイプ２ギャップと呼ぶ。タイプ２ギャップは、サービングセルの周波数内測定のために用いられてもよい。また、ＳＭＴＣには、ＳＭＴＣ１とＳＭＴＣ２が設定として含まれてよい。ＳＭＴＣ１は、周波数内および周波数間の測定に適用される測定タイミングの設定であってよく、ＳＭＴＣ１の設定には、測定のために受信するＳＳブロックのタイミング（ＰｅｒｉｏｄｉｃｉｔｙとＯｆｆｓｅｔ）と期間
（Ｄｕｒａｔｉｏｎ）に関する情報が含まれてよい。ＳＭＴＣ２は、周波数内で明示的に示されるセルの測定に適用される測定タイミングの設定であってよく、ＳＭＴＣ２の設定には物理セル識別子の情報とＰｅｒｉｏｄｉｃｉｔｙの情報が含まれてよい。また、ＳＭＴＣ２のＳＳブロックのＯｆｆｓｅｔとＤｕｒａｔｉｏｎはＳＭＴＣ１で提供されるものと同じであってもよい。タイプ２ギャップは、ＳＭＴＣ１によって設定される時間区間におけるセル定義のＳＳブロックを用いたサービングセルの測定のために用いられてもよい。また、ｂｗｐ−ＧａｐＩｎｄｉｃａｔｉｏｎＬｉｓｔは、ＲＲＣＲｅｃｏｎｆｉｇｕｒａｔｉｏｎメッセージにｂｗｐ−ＧａｐＩｎｄｉｃａｔｉｏｎを要求する情報（ｂｗｐ−ＧａｐＩｎｄｉｃａｔｉｏｎＲｅｑｕｅｓｔ）が含まれている場合に送信されるようにしてもよい。前記、ｂｗｐ−ＧａｐＩｎｄｉｃａｔｉｏｎＬｉｓｔは、サービングセル識別子とそれに対応するギャップのプリファレンスのセット（ギャッププリファレンスＢＷＰ）を、１つまたは複数含むリストになっている。ギャッププリファレンスＢＷＰが設定された場合に、セル定義のＳＳブロックの周波数領域を含まない何れかのＢＷＰがＡ−ＢＷＰとなるときにおけるセル定義のＳＳブロックを用いたサービングセルの測定のためにギャップが必要か否かを示す情報がギャップ指示（ｂｗｐ−ＧａｐＩｎｄｉｃａｔｉｏｎ）として基地局装置３に通知されてもよい。または、Ｄ−ＢＷＰがＡ−ＢＷＰとなるときにおけるサービングセルの測定のためにギャップが必要か否かを示す情報がギャップ指示として基地局装置３に通知されてもよい。また、セル定義のＳＳブロックを用いたサービングセルの測定にギャップが必要か否かの状況が変化した場合に、セル定義のＳＳブロックを用いたサービングセルの測定にギャップが必要か否かを示す情報を基地局装置３に通知するようにしてもよい。これによって、サービングセル毎に複数のＢＷＰが設定（Ｃｏｎｆｉｇｕｒｅ）された場合でも、ＢＷＰ毎の情報とはならず、サービングセル毎の情報となるため、通知する情報量が少なくなる。また、設定された何れか少なくも１つのＢＷＰにおけるサービングセルのセル品質の測定にギャップが必要か否かを示す情報がギャップ指示として基地局装置３に通知されてもよい。また、設定された何れか少なくも１つのＩ−ＢＷＰの周波数帯域を内包しないＢＷＰにおけるサービングセルのセル品質の測定にギャップが必要か否かを示す情報がギャップ指示として基地局装置３に通知されてもよい。また、設定された何れか少なくも１つのセル定義のＳＳブロックの周波数帯域を内包しないＢＷＰにおけるサービングセルのセル品質の測定にギャップが必要か否かを示す情報がギャップ指示として基地局装置３に通知されてもよい。また、設定された各ＢＷＰにおけるサービングセルのセル品質の測定にギャップが必要か否かを示す情報がギャップ指示として基地局装置３に通知されてもよい。これにより、端末装置２がサポートするすべてのセルの組み合わせおよびＢＷＰの設定に対するギャップの要否を通知するよりも少ないサイズでギャップの要否を通知することができる。また、１つ以上のｂｗｐ−ＧａｐＩｎｄｉｃａｔｉｏｎのリスト（ｂｗｐ−ＧａｐＩｎｄｉｃａｔｉｏｎＬｉｓｔ）が、ｐｅｒＣＣ−ＧａｐＩｎｄｉｃａｔｉｏｎＬｉｓｔの代わりにＲＲＣＲｅｃｏｎｆｉｇｕｒａｔｉｏｎＣｏｍｐｌｅｔｅメッセージに含まれてもよい。また、ｂｗｐ−ＧａｐＩｎｄｉｃａｔｉｏｎが、ＲＲＣＲｅｃｏｎｆｉｇｕｒａｔｉｏｎＣｏｍｐｌｅｔｅメッセージのｐｅｒＣＣ−ＧａｐＩｎｄｉｃａｔｉｏｎＬｉｓｔに含まれてもよい。
【０１８５】
また、共通または異なるＲＲＣＲｅｃｏｎｆｉｇｕｒａｔｉｏｎメッセージを用いてＢＷＰおよびＭｅａｓＣｏｎｆｉｇが設定された場合に、Ｄ−ＢＷＰにおける各ＭｅａｓＯｂｊｅｃｔの測定にギャップが必要か否かを示す情報が基地局装置３に通知されてもよい。また、共通または異なるＲＲＣＲｅｃｏｎｆｉｇｕｒａｔｉｏｎメッセージを用いてＢＷＰおよびＭｅａｓＣｏｎｆｉｇが設定された場合に、Ｉ−ＢＷＰにおける各ＭｅａｓＯｂｊｅｃｔの測定にギャップが必要か否かを示す情報が基地局装置３に通知されてもよい。また、設定された何れか少なくも１つのＢＷＰにおける各ＭｅａｓＯｂｊｅｃｔの測定にギャップが必要か否かを示す情報が基地局装置３に通知されてもよい。また、設定された何れか少なくも１つのＩ−ＢＷＰの周波数帯域を内包しないＢＷＰにおける各ＭｅａｓＯｂｊｅｃｔの測定にギャップが必要か否かを示す情報が基地局装置３に通知されてもよ
い。また、設定された何れか少なくも１つのセル定義のＳＳブロックの周波数帯域を内包しないＢＷＰにおける各ＭｅａｓＯｂｊｅｃｔの測定にギャップが必要か否かを示す情報が基地局装置３に通知されてもよい。また、設定された各ＭｅａｓＯｂｊｅｃｔの測定にギャップが必要か否かを示す情報が基地局装置３に通知されてもよい。これにより、端末装置２がサポートするすべてのセルの組み合わせおよびＢＷＰの設定に対するギャップの要否を通知するよりも少ないサイズでギャップの要否を通知することができる。
【０１８６】
また、共通または異なるＲＲＣＲｅｃｏｎｆｉｇｕｒａｔｉｏｎメッセージを用いてＢＷＰおよびＭｅａｓＣｏｎｆｉｇが設定された場合に、Ｄ−ＢＷＰにおけるサービングセルのセル品質の測定または各ＭｅａｓＯｂｊｅｃｔの測定の少なくとも何れか一方にギャップが必要か否かを示す情報が基地局装置３に通知されてもよい。また、共通または異なるＲＲＣＲｅｃｏｎｆｉｇｕｒａｔｉｏｎメッセージを用いてＢＷＰおよびＭｅａｓＣｏｎｆｉｇが設定された場合に、Ｉ−ＢＷＰにおけるサービングセルのセル品質の測定または各ＭｅａｓＯｂｊｅｃｔの測定の少なくとも何れか一方にギャップが必要か否かを示す情報が基地局装置３に通知されてもよい。また、設定された何れか少なくも１つのＢＷＰにおけるサービングセルのセル品質の測定または各ＭｅａｓＯｂｊｅｃｔの測定の少なくとも何れか一方にギャップが必要か否かを示す情報が基地局装置３に通知されてもよい。また、設定された何れか少なくも１つのＩ−ＢＷＰの周波数帯域を内包しないＢＷＰにおけるサービングセルのセル品質の測定または各ＭｅａｓＯｂｊｅｃｔの測定の少なくとも何れか一方にギャップが必要か否かを示す情報が基地局装置３に通知されてもよい。また、設定された何れか少なくも１つのセル定義のＳＳブロックの周波数帯域を内包しないＢＷＰにおけるサービングセルのセル品質の測定または各ＭｅａｓＯｂｊｅｃｔの測定の少なくとも何れか一方にギャップが必要か否かを示す情報が基地局装置３に通知されてもよい。また、設定された各ＢＷＰにおけるサービングセルのセル品質の測定および設定された各ＭｅａｓＯｂｊｅｃｔの測定にギャップが必要か否かを示す情報が基地局装置３に通知されてもよい。これにより、端末装置２がサポートするすべてのセルの組み合わせおよびＢＷＰの設定に対するギャップの要否を通知するよりも少ないサイズでギャップの要否を通知することができる。
【０１８７】
上記各ＢＷＰにおけるサービングセルのセル品質の測定にギャップが必要か否かを示す情報は、サービングセル毎に（例えば各ＢＷＰの識別子の順番に配置される）ビットマップで通知されてもよいし、ＢＷＰの識別子情報とギャップが必要か否かを示すＥｎｕｍｅｒａｔｅ型あるいはＢｏｏｌｅａｎ型の情報との組み合わせを内包するリスト型の情報であってもよい。例えば、サービングセル識別子とそれに対応するギャップのプリファレンスがギャップが必要か否かを示す情報であり、ギャップのプリファレンスは、１ビットであってもよいし、ビットマップでもよいし、ＢＷＰの識別子であってもよい。ギャップのプリファレンスがビットマップの場合、それぞれのビットは、設定された複数のＢＷＰのそれぞれに対応する。また、ギャップのプリファレンスがＢＷＰの識別子である場合、ギャップを必要とする１つ以上のＢＷＰの識別子を示す情報であってよい。
【０１８８】
また、上記の各ギャップが必要か否かを示す情報を基地局装置３に通知するか否かは、ＲＲＣＲｅｃｏｎｆｉｇｕｒａｔｉｏｎメッセージにｂｗｐ−ＧａｐＩｎｄｉｃａｔｉｏｎを要求する情報（例えばｂｗｐ−ＧａｐＩｎｄｉｃａｔｉｏｎＲｅｑｕｅｓｔ）に基づいて決定されてもよい。
【０１８９】
図９にギャップ指示の通知に関する手順の一例を示す。端末装置２は、ネットワーク（基地局装置３）から、サービングセルの第１の下りリンク帯域幅部分（ＢＷＰ）情報および０個以上の第２の下りリンクＢＷＰ情報を含むＲＲＣ再設定メッセージを受信する（ステップＳ９１）。ここで、第１の下りリンクＢＷＰ情報とは、下りリンクのＤ−ＢＷＰの設定に関する情報であってもよい。また、第２の下りリンクＢＷＰ情報とは、下りリンク
のＤ−ＢＷＰ以外のＢＷＰの設定に関する情報であってもよい。また、第１の下りリンクＢＷＰ情報とは、下りリンクのＩ−ＢＷＰの設定に関する情報であってもよい。また、第２の下りリンクＢＷＰ情報とは、下りリンクのＩ−ＢＷＰ以外のＢＷＰの設定に関する情報であってもよい。ＲＲＣ再設定メッセージを受信した端末装置２は、ＲＲＣ再設定メッセージに含まれる情報に基づき設定を行う（ステップＳ９２）。また、ステップＳ９２において、ＢＷＰに関する前記ギャップの要否（例えば、Ｄ−ＢＷＰにおけるサービングセルのセル品質の測定にギャップが必要か否か）を判断してもよい。ＲＲＣ再設定メッセージを正常に処理した端末装置２は、ネットワーク（基地局装置３）にＲＲＣ再設定完了メッセージを送信する（ステップＳ９３）。
【０１９０】
図１０にＲＲＣ再設定完了メッセージの一例を示す。図１０に示すように、ＲＲＣ再設定完了メッセージは、（Ａ）ｒｒｃ−ＴｒａｎｓａｃｔｉｏｎＩｄｅｎｔｉｆｉｅｒ、（Ｂ）ｒｌｆ−ＩｎｆｏＡｖａｉｌａｂｌｅ、（Ｃ）ｐｅｒＣＣ−ＧａｐＩｎｄｉｃａｔｉｏｎＬｉｓｔ、（Ｄ）ｂｗｐ−ＧａｐＩｎｄｉｃａｔｉｏｎＬｉｓｔ、の一部あるいは全部が含まれる。ｒｒｃ−ＴｒａｎｓａｃｔｉｏｎＩｄｅｎｔｉｆｉｅｒは、トランザクションの識別子を示す情報である。ｒｌｆ−ＩｎｆｏＡｖａｉｌａｂｌｅは、無線リンク障害（ＲＬＦ）に関する情報の有無を示す情報である。
【０１９１】
図９の手順により、端末装置２がサポートするすべてのセルの組み合わせおよびＢＷＰの設定に対するギャップの要否を通知するよりも少ないサイズでギャップの要否を通知することができる。
【０１９２】
次に、ＢＷＰを設定されうる端末装置２が端末装置の能力（Ｃａｐａｂｉｌｉｔｙ）を基地局装置３に通知する際にギャップの要否を示す例を示す。
【０１９３】
ＬＴＥでは、端末装置の能力（Ｃａｐａｂｉｌｉｔｙ）を基地局装置３に通知する情報要素として、ＵＥ−ＥＵＴＲＡ−Ｃａｐａｂｉｌｉｔｙが用意されている。ＵＥ−ＥＵＴＲＡ−Ｃａｐａｂｉｌｉｔｙには測定に関するパラメータとしてｍｅａｓＰａｒａｍｅｔｅｒｓが含まれる。ｍｅａｓＰａｒａｍｅｔｅｒｓには、端末装置２がサポートするバンドコンビネーションのリストが含まれ、それぞれのバンドコンビネーションにおいて、バンドごとに測定のギャップが必要であるか否かを通知するパラメータ（ｉｎｔｅｒＦｒｅｑＮｅｅｄＦｏｒＧａｐｓ）が含まれる。
【０１９４】
ｉｎｔｅｒＦｒｅｑＮｅｅｄＦｏｒＧａｐｓが異なる情報を示す例を示す。例えば、端末装置２はＢＷＰが設定されていない場合は、従来と同様に、端末装置２がサポートするそれぞれのバンドコンビネーションにおいて、バンドごとに測定のギャップが必要であるか否かの情報を設定し、ＢＷＰが設定されている場合には、端末装置２がサポートするそれぞれのバンドコンビネーションにおいて、バンドごとに（Ａ）Ｄ−ＢＷＰにおけるサービングセルのセル品質の測定にギャップが必要か否かを示す情報、（Ｂ）設定された何れか少なくも１つのＢＷＰにおけるサービングセルのセル品質の測定にギャップが必要か否かを示す情報、（Ｃ）Ｄ−ＢＷＰにおける各ＭｅａｓＯｂｊｅｃｔの測定にギャップが必要か否かを示す情報、（Ｄ）設定された何れか少なくも１つのＢＷＰにおける各ＭｅａｓＯｂｊｅｃｔの測定にギャップが必要か否かを示す情報、（Ｅ）Ｄ−ＢＷＰにおけるサービングセルのセル品質の測定または各ＭｅａｓＯｂｊｅｃｔの測定の少なくとも何れか一方にギャップが必要か否かを示す情報、（Ｆ）設定された何れか少なくも１つのＢＷＰにおけるサービングセルのセル品質の測定または各ＭｅａｓＯｂｊｅｃｔの測定の少なくとも何れか一方にギャップが必要か否かを示す情報、（Ｇ）Ｉ−ＢＷＰにおけるサービングセルのセル品質の測定にギャップが必要か否かを示す情報、（Ｈ）Ｉ−ＢＷＰにおける各ＭｅａｓＯｂｊｅｃｔの測定にギャップが必要か否かを示す情報、（Ｉ）Ｉ−ＢＷＰにおけるサービングセルのセル品質の測定または各ＭｅａｓＯｂｊｅｃｔの測定の少なくとも
何れか一方にギャップが必要か否かを示す情報、（Ｊ）設定された何れか少なくも１つのＩ−ＢＷＰの周波数帯域を内包しないＢＷＰにおけるサービングセルのセル品質の測定にギャップが必要か否かを示す情報、（Ｋ）設定された何れか少なくも１つのＩ−ＢＷＰの周波数帯域を内包しないＢＷＰにおける各ＭｅａｓＯｂｊｅｃｔの測定にギャップが必要か否かを示す情報、（Ｌ）設定された何れか少なくも１つのＩ−ＢＷＰの周波数帯域を内包しないＢＷＰにおけるサービングセルのセル品質の測定または各ＭｅａｓＯｂｊｅｃｔの測定の少なくとも何れか一方にギャップが必要か否かを示す情報、（Ｍ）設定された何れか少なくも１つのセル定義のＳＳブロックの周波数帯域を内包しないＢＷＰにおける各ＭｅａｓＯｂｊｅｃｔの測定にギャップが必要か否かを示す情報、（Ｎ）設定された何れか少なくも１つのセル定義のＳＳブロックの周波数帯域を内包しないＢＷＰにおけるサービングセルのセル品質の測定または各ＭｅａｓＯｂｊｅｃｔの測定の少なくとも何れか一方にギャップが必要か否かを示す情報、の何れかあるいは組み合わせが通知されてもよい。あるいは、ＢＷＰが設定された場合の上記通知にはｉｎｔｅｒＦｒｅｑＮｅｅｄＦｏｒＧａｐｓとは別のパラメータ（あるいは情報要素）が用いられてもよい。
【０１９５】
また、端末装置２がサポートするそれぞれのバンドコンビネーションにおいて、バンドごとに周波数帯域幅の情報が含まれてもよい。あるいは、バンドコンビネーションによらず、バンドごとに周波数帯域幅の情報が含まれてもよい。この周波数帯域幅情報は、ＢＷＰが設定されている場合にＡ−ＢＷＰを含む前記周波数帯域幅内の測定にはギャップが不要であり、Ａ−ＢＷＰを含む前記周波数帯域幅外の測定にはギャップが必要であることを示してよい。これにより、端末装置２は、ＢＷＰの周波数位置や周波数帯域幅に対してギャップが必要か否かを少ない情報量で通知することができる。または、前記周波数帯域幅の情報以外に、Ａ−ＢＷＰを含む前記周波数帯域幅外の測定にギャップが必要であるか否かを示す情報および／またはＤ−ＢＷＰを含む前記周波数帯域幅外の測定にギャップが必要であるか否かを示す情報が含まれてもよい。
【０１９６】
基地局装置３は、端末装置２に対して、サービングセルのセル品質の測定のためのギャップ（タイプ２ギャップ）を設定してもよい。例えば、ギャップの設定には、測定に用いるセル定義のＳＳブロックのタイミング（ＰｅｒｉｏｄｉｃｉｔｙとＯｆｆｓｅｔ）、期間（Ｄｕｒａｔｉｏｎ）に関する情報、および／またはＤｕｒａｔｉｏｎの情報が含まれてよい。また、ギャップの設定は、ＳＭＴＣ１の設定であってもよい。端末装置２は、タイプ２ギャップが設定される場合、タイプ２ギャップで設定されている期間以外でセル定義のＳＳブロックが送信されないと想定してもよい。
【０１９７】
また、タイプ２ギャップを設定された端末装置２は、ギャップが設定された期間の間、Ｉ−ＢＷＰにＡ−ＢＷＰをＳｗｉｔｃｈしてもよい。また、タイプ２ギャップを設定された端末装置２は、ギャップが設定された期間が終了する前に、Ｉ−ＢＷＰから元のＢＷＰにＳｗｉｔｃｈしてもよい。また、タイプ２ギャップを設定された端末装置２は、ギャップが設定された期間の間、Ａ−ＢＷＰをＤｅａｃｔｉｖａｔｅしてもよい。また、タイプ２ギャップを設定された端末装置２は、ギャップが設定された期間が終了した場合、元のＢＷＰをＡｃｔｉｖａｔｅしてもよい。
【０１９８】
なお、上記メッセージは一例であり、ＲＲＣ再設定メッセージは上記ＲＲＣ再設定メッセージ以外の情報を含んでもよいし、上記ＲＲＣ再設定メッセージの一部の情報を含まなくてもよい。また、ＲＲＣ再設定メッセージは、上記ＲＲＣ再設定メッセージとは異なる構造、情報要素名、メッセージ名、あるいはパラメータ名でもよい。
【０１９９】
これにより、基地局装置３が、端末装置２に対して適切な無線リソース設定を行うことができる。
【０２００】
本発明の実施形態における装置の構成について説明する。
【０２０１】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。また様々な条件に基づき各部の動作を制御する制御部を別途備えてもよい。
【０２０２】
上位層処理部２４は、ユ−ザの操作等により生成された上りリンクデ−タ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデ−タ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。上位層処理部２４は、媒体アクセス制御層処理部、パケットデ−タ統合プロトコル層処理部、無線リンク制御層処理部、無線リソース制御層処理部の一部あるいはすべての処理部で構成されてもよい。
【０２０３】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジュ−リングリクエストの伝送の制御を行う。
【０２０４】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０２０５】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、デ−タを変調、符号化することによって送信信号を生成し、基地局装置３に送信する。
【０２０６】
ＲＦ部２２は、アンテナ部２１を介して受信した信号を、直交復調によりベースバンド信号に変換し（ダウンコンバ−ト:  ｄｏｗｎ  ｃｏｖｅｒｔ）、不要な周波数成分を除
去する。ＲＦ部２２は、処理をしたアナログ信号をベースバンド部に出力する。
【０２０７】
ベースバンド部２３は、ＲＦ部２２から入力されたアナログ信号を、アナログ信号をデジタル信号に変換する。ベースバンド部２３は、変換したデジタル信号からＣＰ（Cyclic
Prefix）に相当する部分を除去し、ＣＰを除去した信号に対して高速フ−リエ変換（Ｆａｓｔ  Ｆｏｕｒｉｅｒ  Ｔｒａｎｓｆｏｒｍ：ＦＦＴ）を行い、周波数領域の信号を抽出する。
【０２０８】
ベースバンド部２３は、デ−タを逆高速フ−リエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生
成し、ベースバンドのデジタル信号をアナログ信号に変換する。ベースバンド部２３は、変換したアナログ信号をＲＦ部２２に出力する。
【０２０９】
ＲＦ部２２は、ロ−パスフィルタを用いてベースバンド部２３から入力されたアナログ信号から余分な周波数成分を除去し、アナログ信号を搬送波周波数にアップコンバ−ト（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２を送信電力制御部とも称する。
【０２１０】
なお、端末装置２は、複数の周波数（周波数帯、周波数帯域幅）またはセルの同一サブフレ−ム内での送受信処理をサポートするために各部の一部あるいはすべてを複数備える構成であってもよい。
【０２１１】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。また様々な条件に基づき各部の動作を制御する制御部を別途備えてもよい。
【０２１２】
上位層処理部３４は、媒体アクセス制御（ＭＡＣ：  Ｍｅｄｉｕｍ  Ａｃｃｅｓｓ  Ｃｏｎｔｒｏｌ）層、サービスデータアダプテーションプロトコル（Ｓｅｒｖｉｃｅ  Ｄａｔａ  Ａｄａｐｔａｔｉｏｎ  Ｐｒｏｔｏｃｏｌ  ｌａｙｅｒ：ＳＤＡＰ）層、パケットデ−タ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。
【０２１３】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジュ−リングリクエストに関する処理を行う。
【０２１４】
上位層処理部３４が備える無線リソース制御層処理部３６は、無線リソース制御層の処理を行う。無線リソース制御層処理部３６は、物理下りリンク共用チャネルに配置される下りリンクデ−タ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノ−ドから取得し、無線送受信部３０に出力する。また、無線リソース制御層処理部３６は、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０２１５】
無線送受信部３０の機能は、無線送受信部２０と同様であるため説明を省略する。なお、基地局装置３が１または複数の送受信点４と接続している場合、無線送受信部３０の機能の一部あるいは全部が、各送受信点４に含まれてもよい。
【０２１６】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、または
ユーザデータの送信（転送）または受信を行なう。図３において、その他の基地局装置３の構成要素や、構成要素間のデ−タ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケ−ション層処理部が存在している。
【０２１７】
なお、図中の「部」とは、セクション、回路、構成装置、デバイス、ユニットなど用語によっても表現される、端末装置２および基地局装置３の機能および各手順を実現する要素である。
【０２１８】
端末装置２が備える符号２０から符号２６が付された部のそれぞれは、回路として構成されてもよい。基地局装置３が備える符号３０から符号３６が付された部のそれぞれは、回路として構成されてもよい。
【０２１９】
本発明の実施形態における、端末装置２および基地局装置３の種々の態様について説明する。
【０２２０】
（１）本発明の第１の態様は、基地局装置と通信する端末装置であって、基地局装置からＲＲＣ再設定メッセージを受信する受信部と、基地局装置へ前記ＲＲＣ再設定メッセージに対するＲＲＣ再設定完了メッセージを送信する送信部と、前記ＲＲＣ再設定完了メッセージを生成する制御部と、を備え、サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する。
【０２２１】
（２）本発明の第１の態様において、前記ギャップが必要か否かを識別可能な情報は、サービングセル毎の情報である。
【０２２２】
（３）本発明の第１の態様において、前記ギャップが必要か否かを識別可能な情報は、第１の下りリンクＢＷＰにおいて、サービングセル品質を測定するためにギャップが必要か否かを識別可能な情報を含む。
【０２２３】
（４）本発明の第１の態様において、前記ギャップが必要か否かを識別可能な情報は、それぞれの下りリンクＢＷＰにおいて、サービングセル品質を測定するためにギャップが必要か否かを識別可能な情報を含む。
【０２２４】
（５）本発明の第２の態様は、基地局装置と通信する端末装置であって、基地局装置へ前記端末装置の能力（Ｃａｐａｂｉｌｉｔｙ）を通知するメッセージを送信する送信部と、前記メッセージを生成する制御部と、を備え、前記メッセージには、サポートする周波数バンドの組み合わせのそれぞれに対して周波数バンド毎に第１のバンド幅の情報が含まれ、前記第１のバンド幅の情報は、下りリンク帯域幅部分（ＢＷＰ）が通信に用いられる場合に、少なくとも活性化される下りＢＷＰを包含する前記第１のバンド幅に含まれる測定対象の測定に、ギャップが不要であることを示す。
【０２２５】
（６）本発明の第２の態様において、前記第１のバンド幅の情報は、下りリンク帯域幅部分（ＢＷＰ）が通信に用いられる場合に、活性化される下りＢＷＰを包含する前記第１のバンド幅に含まれない測定対象の測定に、ギャップが必要であることを示す。
【０２２６】
（７）本発明の第３の態様は、端末装置と通信する基地局装置であって、端末装置にＲ
ＲＣ再設定メッセージを送信する送信部と、端末装置から前記ＲＲＣ再設定メッセージに対するＲＲＣ再設定完了メッセージを受信する受信部と、前記ＲＲＣ再設定メッセージを生成する制御部と、を備え、サービングセルの第１の下りリンク帯域幅部分（ＢＷＰ）情報および０個以上の第２の下りリンクＢＷＰ情報に基づく、前記サービングセルのサービングセル品質を測定するために測定ギャップが必要か否かを識別可能な情報を前記ＲＲＣ再設定完了メッセージに含めることを要求する情報を含む前記ＲＲＣ再設定メッセージを生成する。
【０２２７】
（８）本発明の第４の態様は、基地局装置と通信する端末装置に適用される通信方法であって、基地局装置からＲＲＣ再設定メッセージを受信するステップと、基地局装置へ前記ＲＲＣ再設定メッセージに対するＲＲＣ再設定完了メッセージを送信するステップと、前記ＲＲＣ再設定完了メッセージを生成するステップと、を含み、サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する。
【０２２８】
（９）本発明の第５の態様は、基地局装置と通信する端末装置に実装される集積回路であって、基地局装置からＲＲＣ再設定メッセージを受信する機能と、基地局装置へ前記ＲＲＣ再設定メッセージに対するＲＲＣ再設定完了メッセージを送信する機能と、前記ＲＲＣ再設定完了メッセージを生成する機能と、を前記端末装置に対して発揮させ、サービングセルの第１の下りリンク帯域幅部分（ＢＷＰ）情報および０個以上の第２の下りリンクＢＷＰ情報に基づき、前記サービングセルのサービングセル品質を測定するために測定ギャップが必要か否かを識別可能な情報を含めた前記ＲＲＣ再設定完了メッセージを生成する。
【０２２９】
これにより、端末装置２および基地局装置３は、効率的に通信を行うことができる。
【０２３０】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０２３１】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２３２】
端末装置２は、ユ−ザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  ＮｏｄｅＢ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、ｇＮＢ（ｎｅｘｔ  ｇｅｎｅｒａｔｉｏｎ  Ｎｏｄｅ  Ｂ）とも称される。
【０２３３】
本発明の一態様に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを
有していればよい。また、上述した実施形態に関わる端末装置２は、集合体としての基地局装置３と通信することも可能である。
【０２３４】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよいし、あるいは次世代コアネットワーク（ＮｅｘｔＧｅｎ  Ｃｏｒｅ）であってもよい。また、上述した実施形態における基地局装置３は、ｅＮｏｄｅＢに対する上位ノ−ドの機能の一部または全部を有してもよい。
【０２３５】
本発明の一態様に関わる装置で動作するプログラムは、本発明の一態様に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０２３６】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０２３７】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０２３８】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０２３９】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機
器、空調機器、オフィス機器、自動販売機、その他生活機器などの端末装置もしくは通信装置に適用出来る。
【０２４０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２４１】
２  端末装置
３  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
４  送受信点
【図１】
2019092059.tif 000003
【図２】
2019092059.tif 000004
【図３】
2019092059.tif 000005
【図４】
2019092059.tif 000006
【図５】
2019092059.tif 000007
【図６】
2019092059.tif 000008
【図７】
2019092059.tif 000009
【図８】
2019092059.tif 000010
【図９】
2019092059.tif 000011
【図１０】
2019092059.tif 000012